(57)【要約】【課題】調湿装置に取り込まれる空気の状態に拘わらず、その除湿能力や加湿能力を増大させ得る調湿装置を提供する。【解決手段】調湿装置には、２つの吸着素子（８１，８２）を設ける。この調湿装置は、第１吸着素子（８１）で第１空気を減湿して第２吸着素子（８２）を第２空気で再生する動作と、第２吸着素子（８２）で第１空気を減湿して第１吸着素子（８１）を第２空気で再生する動作とを交互に繰り返す。また、調湿装置には、顕熱交換器（１１０）が設けられる。顕熱交換器（１１０）は、第２空気と熱交換させることによって第１空気を冷却する。吸着素子（８１，８２）へは、顕熱交換器（１１０）で冷却された第１空気が送り込まれる。【選択図】　図１
2004060966.tif 000002
【特許請求の範囲】
【請求項１】
吸着剤を有して該吸着剤を空気と接触させる吸着素子（８１，８２）と、空気を加熱するための加熱器（１０２）とを備え、
第１空気中の水分を上記吸着素子（８１，８２）の吸着剤に吸着させる吸着動作と、上記加熱器（１０２）で加熱された第２空気によって上記吸着素子（８１，８２）の吸着剤を再生する再生動作とを行い、
上記吸着動作により減湿された第１空気、又は上記再生動作により加湿された第２空気を室内へ供給する調湿装置であって、
上記吸着素子（８１，８２）へ流入する前の第１空気を第２空気と熱交換させて冷却するための冷却用熱交換器（１１０）を備えている調湿装置。
【請求項２】
請求項１記載の調湿装置において、
室外空気を第１空気として取り込み且つ室内空気を第２空気として取り込んで、吸着動作により減湿された第１空気を室内へ供給する除湿運転が可能に構成される一方、
上記除湿運転中における冷却用熱交換器（１１０）では、加熱器（１０２）で加熱される前の第２空気が吸着素子（８１，８２）へ流入する前の第１空気と熱交換している調湿装置。
【請求項３】
請求項１記載の調湿装置において、
室外空気を第１空気として取り込み且つ室内空気を第２空気として取り込んで、吸着動作により減湿された第１空気を室内へ供給する除湿運転が可能に構成される一方、
上記除湿運転中における冷却用熱交換器（１１０）では、加熱器（１０２）で加熱されて吸着素子（８１，８２）を通過した後の第２空気が該吸着素子（８１，８２）へ流入する前の第１空気と熱交換している調湿装置。
【請求項４】
請求項１記載の調湿装置において、
室内空気を第１空気として取り込み且つ室外空気を第２空気として取り込んで、再生動作により加湿された第２空気を室内へ供給する加湿運転が可能に構成される一方、
上記加湿運転中における冷却用熱交換器（１１０）では、加熱器（１０２）で加熱される前の第２空気が吸着素子（８１，８２）へ流入する前の第１空気と熱交換している調湿装置。
【請求項５】
請求項４記載の調湿装置において、
室内空気を第１空気として取り込み且つ室外空気を第２空気として取り込んで、再生動作により加湿された第２空気を室内へ供給する加湿運転が可能に構成される一方、
上記加湿運転中における冷却用熱交換器（１１０）では、加熱器（１０２）で加熱されて吸着素子（８１，８２）を通過した後の第２空気が該吸着素子（８１，８２）へ流入する前の第１空気と熱交換している調湿装置。
【請求項６】
請求項１乃至５の何れか１つに記載の調湿装置において、
上記吸着素子（８１，８２）は、流通する空気が吸着剤と接触する調湿側通路（８５）と、吸着動作時に調湿側通路（８５）で生じる吸着熱を奪うための冷却用流体が流れる冷却側通路（８６）とを備えている調湿装置。
【発明の詳細な説明】
【０００１】
【発明の属する技術分野】
本発明は、空気の湿度調節を行う調湿装置に関するものである。
【０００２】
【従来の技術】
従来より、吸着剤を用いて空気の湿度調節を行う調湿装置が知られている。例えば、特開２００２−２２２０６号公報には、吸着剤と空気を接触させるための吸着素子を２つ備えてバッチ式の動作を行うものが開示されている。
【０００３】
上記公報の調湿装置において、吸着素子には、吸着側の空気通路と冷却側の空気通路とが複数ずつ形成される。吸着素子では、吸着側の空気通路を流れる空気が吸着剤と接触する。
【０００４】
この調湿装置において、一方の吸着素子には第１空気が供給され、他方の吸着素子には第２空気が供給される。そして、一方の吸着素子で第１空気中の水分が吸着剤に吸着される。その際、吸着側の空気通路で生じた吸着熱は、冷却側の空気通路を流れる第２空気に吸熱される。また、他方の吸着素子では、高温の第２空気によって吸着剤が再生される。この状態が暫く続いた後に、今度は一方の吸着素子へ第２空気が供給されて他方の吸着素子へ第１空気が供給される。上記調湿装置は、この２つの動作を交互に繰り返し、除湿された第１空気を室内へ供給する運転や、加湿された第２空気を室内へ供給する運転を行う。
【０００５】
【発明が解決しようとする課題】
しかしながら、上記従来の調湿装置では、取り込んだ第１空気をそのまま吸着素子へ送り込んでいる。このため、調湿装置で発揮しうる除湿能力や加湿能力が第１空気として取り込まれる空気の状態による制約を受け、その除湿能力や加湿能力を増大させることができないという問題があった。この問題点について説明する。
【０００６】
先ず、室外空気を第１空気として室内空気を第２空気とする除湿運転時を例に、図７の空気線図を参照しながら説明する。この場合、点Ａの状態の第１空気（即ち室外空気）は、吸着素子へ導入されて除湿される。一方、点Ｄの状態の第２空気（即ち室内空気）は、加熱されて点Ｇの状態となり、その後に吸着素子へ導入されて吸着剤の再生に利用される。
【０００７】
ここで、吸着剤の再生に利用された後における第２空気の相対湿度は、吸着素子へ導入される直前における第１空気の相対湿度以下に制限される。つまり、吸着剤の再生に利用された後における第２空気は、点Ａを通る等相対湿度線上に位置する点Ｈ’の状態にまでしか達しない。
【０００８】
調湿装置が発揮し得る再生能力の最大値は、点Ｈ’と点Ｇの絶対湿度差ΔＸｄ’によって代表され、吸着素子へ導入される第１空気の状態による制約を受ける。そして、調湿装置では再生量と除湿量が必ず均衡するため、除湿後における第１空気の絶対湿度は、点Ａにおける絶対湿度よりもΔＸｄ’だけ低い点Ｃ’の状態にまでしか低下させることができない。
【０００９】
次に、室内空気を第１空気として室外空気を第２空気とする加湿運転時を例に、図８の空気線図を参照しながら説明する。この場合、点Ｎの状態の第１空気（即ち室内空気）は、吸着素子へ導入されて除湿される。一方、点Ｉの状態の第２空気（即ち室外空気）は、加熱されて点Ｌの状態となり、その後に吸着素子へ導入されて吸着剤の再生に利用される。
【００１０】
ここで、吸着素子で除湿された後における第１空気の相対湿度は、加熱されて吸着素子へ導入される直前における第２空気の相対湿度以上に制限される。つまり、除湿後における第１空気は、点Ｌを通る等相対湿度線上に位置する点Ｐ’の状態にまでしか達しない。
【００１１】
調湿装置が発揮しうる吸着能力の最大値は、点Ｎと点Ｐ’の絶対湿度差ΔＸｈ’によって代表され、吸着素子へ導入される第１空気の状態による制約を受ける。そして、調湿装置では吸着量と加湿量が必ず均衡するため、加湿後における第２空気の絶対湿度は、点Ｌにおける絶対湿度よりもΔＸｈ’だけ高い点Ｍ’の状態にまでしか上昇させることができない。
【００１２】
本発明は、かかる点に鑑みてなされたものであり、その目的とするところは、調湿装置に取り込まれる空気の状態に拘わらず、その除湿能力や加湿能力を増大させ得る調湿装置を提供することにある。
【００１３】
【課題を解決するための手段】
請求項１の発明は、吸着剤を有して該吸着剤を空気と接触させる吸着素子（８１，８２）と、空気を加熱するための加熱器（１０２）とを備え、第１空気中の水分を上記吸着素子（８１，８２）の吸着剤に吸着させる吸着動作と、上記加熱器（１０２）で加熱された第２空気によって上記吸着素子（８１，８２）の吸着剤を再生する再生動作とを行い、上記吸着動作により減湿された第１空気、又は上記再生動作により加湿された第２空気を室内へ供給する調湿装置を対象とし、上記吸着素子（８１，８２）へ流入する前の第１空気を第２空気と熱交換させて冷却するための冷却用熱交換器（１１０）を備えるものである。
【００１４】
請求項２の発明は、請求項１記載の調湿装置において、室外空気を第１空気として取り込み且つ室内空気を第２空気として取り込んで、吸着動作により減湿された第１空気を室内へ供給する除湿運転が可能に構成される一方、上記除湿運転中における冷却用熱交換器（１１０）では、加熱器（１０２）で加熱される前の第２空気が吸着素子（８１，８２）へ流入する前の第１空気と熱交換しているものである。
【００１５】
請求項３の発明は、請求項１記載の調湿装置において、室外空気を第１空気として取り込み且つ室内空気を第２空気として取り込んで、吸着動作により減湿された第１空気を室内へ供給する除湿運転が可能に構成される一方、上記除湿運転中における冷却用熱交換器（１１０）では、加熱器（１０２）で加熱されて吸着素子（８１，８２）を通過した後の第２空気が該吸着素子（８１，８２）へ流入する前の第１空気と熱交換しているものである。
【００１６】
請求項４の発明は、請求項１記載の調湿装置において、室内空気を第１空気として取り込み且つ室外空気を第２空気として取り込んで、再生動作により加湿された第２空気を室内へ供給する加湿運転が可能に構成される一方、上記加湿運転中における冷却用熱交換器（１１０）では、加熱器（１０２）で加熱される前の第２空気が吸着素子（８１，８２）へ流入する前の第１空気と熱交換しているものである。
【００１７】
請求項５の発明は、請求項４記載の調湿装置において、室内空気を第１空気として取り込み且つ室外空気を第２空気として取り込んで、再生動作により加湿された第２空気を室内へ供給する加湿運転が可能に構成される一方、上記加湿運転中における冷却用熱交換器（１１０）では、加熱器（１０２）で加熱されて吸着素子（８１，８２）を通過した後の第２空気が該吸着素子（８１，８２）へ流入する前の第１空気と熱交換しているものである。
【００１８】
請求項６の発明は、請求項１乃至５の何れか１つに記載の調湿装置において、上記吸着素子（８１，８２）は、流通する空気が吸着剤と接触する調湿側通路（８５）と、吸着動作時に調湿側通路（８５）で生じる吸着熱を奪うための冷却用流体が流れる冷却側通路（８６）とを備えるものである。
【００１９】
−作用−
請求項１の発明では、調湿装置に第１空気と第２空気とが取り込まれる。また、調湿装置には、冷却用熱交換器（１１０）が設けられる。冷却用熱交換器（１１０）では、吸着素子（８１，８２）へ流入する前の第１空気が第２空気と熱交換する。そして、第２空気が第１空気よりも低温となる運転条件では、冷却用熱交換器（１１０）において第１空気が冷却される。
【００２０】
この発明の調湿装置では、吸着動作と再生動作とが行われる。吸着動作時の吸着素子（８１，８２）へは、冷却用熱交換器（１１０）で冷却された第１空気が導入される。第１空気は、吸着素子（８１，８２）を通過する間に吸着剤と接触し、第１空気中の水蒸気が吸着剤に吸着される。一方、再生動作時の吸着素子（８１，８２）へは、加熱器（１０２）で加熱された第２空気が導入される。高温の第２空気が吸着剤と接触すると、吸着剤から水蒸気が脱離し、吸着剤が再生される。吸着剤から脱離した水蒸気は、第２空気に付与される。
【００２１】
請求項２の発明では、調湿装置において除湿運転が可能となる。この除湿運転において、調湿装置は、室外空気を第１空気として取り込み、室内空気を第２空気として取り込む。また、除湿運転中の調湿装置では、冷却用熱交換器（１１０）において、吸着素子（８１，８２）へ流入する前の第１空気と、加熱器（１０２）で加熱される前の第２空気とが熱交換する。そして、調湿装置は、吸着素子（８１，８２）で減湿された第１空気を室内へ供給する。
【００２２】
請求項３の発明では、調湿装置において除湿運転が可能となる。この除湿運転において、調湿装置は、室外空気を第１空気として取り込み、室内空気を第２空気として取り込む。また、除湿運転中の調湿装置では、冷却用熱交換器（１１０）において、吸着素子（８１，８２）へ流入する前の第１空気と、加熱器（１０２）で加熱されて吸着素子（８１，８２）の再生に利用された後の第２空気とが熱交換する。そして、調湿装置は、吸着素子（８１，８２）で減湿された第１空気を室内へ供給する。
【００２３】
請求項４の発明では、調湿装置において加湿運転が可能となる。この加湿運転において、調湿装置は、室内空気を第１空気として取り込み、室外空気を第２空気として取り込む。また、加湿運転中の調湿装置では、冷却用熱交換器（１１０）において、吸着素子（８１，８２）へ流入する前の第１空気と、加熱器（１０２）で加熱される前の第２空気とが熱交換する。そして、調湿装置は、吸着素子（８１，８２）で加湿された第２空気を室内へ供給する。
【００２４】
請求項５の発明では、調湿装置において加湿運転が可能となる。この加湿運転において、調湿装置は、室内空気を第１空気として取り込み、室外空気を第２空気として取り込む。また、加湿運転中の調湿装置では、冷却用熱交換器（１１０）において、吸着素子（８１，８２）へ流入する前の第１空気と、加熱器（１０２）で加熱されて吸着素子（８１，８２）で加湿された後の第２空気とが熱交換する。そして、調湿装置は、吸着素子（８１，８２）で加湿されて冷却用熱交換器（１１０）を通過した第２空気を室内へ供給する。
【００２５】
請求項６の発明では、吸着素子（８１，８２）に調湿側通路（８５）と冷却側通路（８６）とが設けられる。吸着動作時の吸着素子（８１，８２）では、その調湿側通路（８５）へ第１空気が導入され、その冷却側通路（８６）へ冷却用流体が導入される。第１空気は、調湿側通路（８５）を流れる間に吸着剤と接触し、第１空気中の水蒸気が吸着剤に吸着される。冷却用流体は、冷却側通路（８６）を流れる間に、調湿側通路（８５）で発生した吸着熱を吸収する。
【００２６】
【発明の実施の形態１】
以下、本発明の実施形態を図面に基づいて詳細に説明する。
【００２７】
本実施形態に係る調湿装置は、減湿された空気を室内へ供給する除湿運転と、加湿された空気を室内へ供給する加湿運転とを切り換えて行うように構成されている。また、この調湿装置は、冷媒回路と２つの吸着素子（８１，８２）とを備え、いわゆるバッチ式の動作を行うように構成されている。ここでは、本実施形態に係る調湿装置の構成について、図１及び図６を参照しながら説明する。尚、本実施形態１の説明において、「上」　「下」　「左」　「右」　「前」　「後」　「手前」　「奥」　は、特にことわらない限り、図１に示す調湿装置を正面側から見た場合のものを意味している。
【００２８】
図１に示すように、上記調湿装置は、やや扁平な直方体状のケーシング（１０）を備えている。このケーシング（１０）には、２つの吸着素子（８１，８２）と、顕熱交換器（１１０）と、冷媒回路とが収納されている。
【００２９】
冷媒回路には、再生熱交換器（１０２）、第１熱交換器（１０３）、第２熱交換器（１０４）、圧縮機（１０１）、及び膨張弁が設けられている。尚、図１では、再生熱交換器（１０２）、第１熱交換器（１０３）、第２熱交換器（１０４）及び圧縮機（１０１）だけを図示している。この冷媒回路では、充填された冷媒を循環させることによって冷凍サイクルが行われる。また、冷媒回路は、第１熱交換器（１０３）が蒸発器となる運転と、第２熱交換器（１０４）が蒸発器となる運転とを切り換え可能に構成されている。
【００３０】
顕熱交換器（１１０）は、第１の通路と第２の通路が交互に複数ずつ形成されたいわゆる直交流形の熱交換器であって、冷却用熱交換器を構成している。また、顕熱交換器（１１０）は、やや低い四角柱状に形成され、対向する一対の側面に第１の通路が開口し、これとは別の対向する一対の側面に第２の通路が開口している。
【００３１】
図６に示すように、上記吸着素子（８１，８２）は、平板状の平板部材（８３）と波形状の波板部材（８４）とを交互に積層して構成されている。波板部材（８４）は、隣接する波板部材（８４）の稜線方向が互いに９０°ずれる姿勢で積層されている。そして、吸着素子（８１，８２）は、全体として直方体状ないし四角柱状に形成されている。
【００３２】
上記吸着素子（８１，８２）には、平板部材（８３）及び波板部材（８４）の積層方向において、調湿側通路（８５）と冷却側通路（８６）とが平板部材（８３）を挟んで交互に区画形成されている。この吸着素子（８１，８２）において、平板部材（８３）の長辺側の側面に調湿側通路（８５）が開口し、平板部材（８３）の短辺側の側面に冷却側通路（８６）が開口している。
【００３３】
上記吸着素子（８１，８２）において、調湿側通路（８５）に臨む平板部材（８３）の表面や、調湿側通路（８５）に設けられた波板部材（８４）の表面には、水蒸気を吸着するための吸着剤が塗布されている。この種の吸着剤としては、例えばシリカゲル、ゼオライト、イオン交換樹脂等が挙げられる。
【００３４】
図１に示すように、上記ケーシング（１０）において、最も手前側には第１パネル（１１）が設けられ、最も奥側には第２パネル（１２）が設けられている。第１パネル（１１）には、その左端寄りの下部に給気口（１４）が形成され、その右端寄りの下部に排気口（１６）が形成されている。一方、第２パネル（１２）には、その左端寄りの上部に室外側吸込口（１３）が形成され、その右端寄りの上部に室内側吸込口（１５）が形成されている。
【００３５】
ケーシング（１０）の内部は、手前側の第１パネル（１１）から奥側の第２パネル（１２）へ向かう方向において３つの空間に仕切られている。
【００３６】
ケーシング（１０）の第１パネル（１１）寄りに形成された空間は、左右に３つの空間に仕切られている。この３つの空間のうち、右側の空間は排気側流路（４１）を構成し、左側の空間は給気側流路（４２）を構成している。また、排気側流路（４１）と給気側流路（４２）に挟まれた空間は、収容空間（９０）を構成している。閉空間である収容空間（９０）には、冷媒回路の圧縮機（１０１）が設置されている。
【００３７】
排気側流路（４１）は、排気口（１６）を介して室外に連通している。この排気側流路（４１）には、排気ファン（９６）と第２熱交換器（１０４）とが設置されている。第２熱交換器（１０４）は、排気ファン（９６）へ向かって流れる空気を冷媒回路の冷媒と熱交換させる。
【００３８】
一方、給気側流路（４２）は、給気口（１４）を介して室内に連通している。この給気側流路（４２）には、給気ファン（９５）と第１熱交換器（１０３）とが設置されている。第１熱交換器（１０３）は、給気ファン（９５）へ向かって流れる空気を冷媒回路の冷媒と熱交換させる。
【００３９】
ケーシング（１０）の第２パネル（１２）寄りに形成された空間には、上記顕熱交換器（１１０）が設置されている。この顕熱交換器（１１０）は、何れの流路も開口しない端面が第２パネル（１２）に沿う姿勢で配置されている。この第２パネル（１２）寄りの空間は、顕熱交換器（１１０）によって左右に仕切られている。また、顕熱交換器（１１０）によって仕切られた左右の空間は、それぞれが更に上下に仕切られている。
【００４０】
顕熱交換器（１１０）の右側の空間のうち、上側の空間は吸込側右上流路（４５）を構成し、下側の空間は吸込側右下流路（４６）を構成している。吸込側右上流路（４５）は、室内側吸込口（１５）を介して室内に連通している。一方、顕熱交換器（１１０）の左側の空間のうち、上側の空間は吸込側左上流路（４７）を構成し、下側の空間は吸込側左下流路（４８）を構成している。吸込側左上流路（４７）は、室外側吸込口（１３）を介して室外に連通している。
【００４１】
ケーシング（１０）の奥行き方向の中央に形成された空間は、右側仕切板（２０）と左側仕切板（３０）とによって左右に３つの空間に仕切られている。
【００４２】
右側仕切板（２０）の右側の空間は、上下に仕切られている。そして、この空間は、上側の空間が右上部流路（６５）を構成し、下側の空間が右下部流路（６６）を構成している。右上部流路（６５）は、排気側流路（４１）と連通する一方、吸込側右上流路（４５）から仕切られている。右下部流路（６６）は、吸込側右下流路（４６）と連通する一方、排気側流路（４１）から仕切られている。
【００４３】
左側仕切板（３０）の左側の空間は、上下に仕切られている。そして、この空間は、上側の空間が左上部流路（６７）を構成し、下側の空間が左下部流路（６８）を構成している。左上部流路（６７）は、給気側流路（４２）と連通する一方、吸込側左上流路（４７）から仕切られている。左下部流路（６８）は、吸込側左下流路（４８）と連通する一方、給気側流路（４２）から仕切られている。
【００４４】
右側仕切板（２０）と左側仕切板（３０）の間には、２つの吸着素子（８１，８２）が設置されている。これら吸着素子（８１，８２）は、所定の間隔をおいて前後に並んだ状態に配置されている。具体的には、手前側の第１パネル（１１）寄りに第１吸着素子（８１）が設けられ、奥側の第２パネル（１２）寄りに第２吸着素子（８２）が設けられている。
【００４５】
第１，第２吸着素子（８１，８２）は、それぞれにおける平板部材（８３）及び波板部材（８４）の積層方向がケーシング（１０）の左右方向と一致する姿勢で設置されている。この姿勢の各吸着素子（８１，８２）では、その上下の側面に調湿側通路（８５）が開口し、その前後の側面に冷却側通路（８６）が開口する一方、その左右の端面には何れの通路（８５，８６）も開口していない。
【００４６】
右側仕切板（２０）と左側仕切板（３０）の間の空間は、第１流路（５１）、第２流路（５２）、第１上部流路（５３）、第１下部流路（５４）、第２上部流路（５５）、第２下部流路（５６）、及び中央流路（５７）に区画されている。
【００４７】
第１流路（５１）は、第１吸着素子（８１）の手前側に形成され、第１吸着素子（８１）の冷却側通路（８６）に連通している。第２流路（５２）は、第２吸着素子（８２）の奥側に形成され、第２吸着素子（８２）の冷却側通路（８６）に連通している。
【００４８】
第１上部流路（５３）は、第１吸着素子（８１）の上側に形成され、第１吸着素子（８１）の調湿側通路（８５）に連通している。第１下部流路（５４）は、第１吸着素子（８１）の下側に形成され、第１吸着素子（８１）の調湿側通路（８５）に連通している。第２上部流路（５５）は、第２吸着素子（８２）の上側に形成され、第２吸着素子（８２）の調湿側通路（８５）に連通している。第２下部流路（５６）は、第２吸着素子（８２）の下側に形成され、第２吸着素子（８２）の調湿側通路（８５）に連通している。
【００４９】
中央流路（５７）は、第１吸着素子（８１）と第２吸着素子（８２）の間に形成され、両吸着素子（８１，８２）の冷却側通路（８６）に連通している。この中央流路（５７）には、再生熱交換器（１０２）がほぼ垂直に立った状態で設置されている。この再生熱交換器（１０２）は、中央流路（５７）を流れる空気を冷媒回路の冷媒と熱交換させる。そして、再生熱交換器（１０２）は、凝縮器として機能し、空気を加熱するための加熱器を構成している。
【００５０】
中央流路（５７）と第１下部流路（５４）の間の仕切りには、第１シャッタ（６１）が設けられている。一方、中央流路（５７）と第２下部流路（５６）の間の仕切りには、第２シャッタ（６２）が設けられている。第１シャッタ（６１）と第２シャッタ（６２）とは、何れもが開閉自在に構成されている。
【００５１】
右側仕切板（２０）には、第１右側開口（２１）、第２右側開口（２２）、第１右上開口（２３）、第１右下開口（２４）、第２右上開口（２５）、及び第２右下開口（２６）が形成されている。これらの開口（２１，２２，…）は、それぞれが開閉シャッタを備えて開閉自在に構成されている。
【００５２】
第１右側開口（２１）は、右側仕切板（２０）における手前側の下部に設けられている。第１右側開口（２１）の開閉シャッタが開いた状態では、第１流路（５１）と右下部流路（６６）が互いに連通する。第２右側開口（２２）は、右側仕切板（２０）における奥側の下部に設けられている。第２右側開口（２２）の開閉シャッタが開いた状態では、第２流路（５２）と右下部流路（６６）が互いに連通する。
【００５３】
第１右上開口（２３）は、右側仕切板（２０）のうち第１吸着素子（８１）に隣接する部分の上部に設けられている。第１右上開口（２３）の開閉シャッタが開いた状態では、第１上部流路（５３）と右上部流路（６５）が互いに連通する。第１右下開口（２４）は、右側仕切板（２０）のうち第１吸着素子（８１）に隣接する部分の下部に設けられている。第１右下開口（２４）の開閉シャッタが開いた状態では、第１下部流路（５４）と右下部流路（６６）が互いに連通する。
【００５４】
第２右上開口（２５）は、右側仕切板（２０）のうち第２吸着素子（８２）に隣接する部分の上部に設けられている。第２右上開口（２５）の開閉シャッタが開いた状態では、第２上部流路（５５）と右上部流路（６５）が互いに連通する。第２右下開口（２６）は、右側仕切板（２０）のうち第２吸着素子（８２）に隣接する部分の下部に設けられている。第２右下開口（２６）の開閉シャッタが開いた状態では、第２下部流路（５６）と右下部流路（６６）が互いに連通する。
【００５５】
左側仕切板（３０）には、第１左側開口（３１）、第２左側開口（３２）、第１左上開口（３３）、第１左下開口（３４）、第２左上開口（３５）、及び第２左下開口（３６）が形成されている。これらの開口（３１，３２，…）は、それぞれが開閉シャッタを備えて開閉自在に構成されている。
【００５６】
第１左側開口（３１）は、左側仕切板（３０）における手前側の下部に設けられている。第１左側開口（３１）の開閉シャッタが開いた状態では、第１流路（５１）と左下部流路（６８）が互いに連通する。第２左側開口（３２）は、左側仕切板（３０）における奥側の下部に設けられている。第２左側開口（３２）の開閉シャッタが開いた状態では、第２流路（５２）と左下部流路（６８）が互いに連通する。
【００５７】
第１左上開口（３３）は、左側仕切板（３０）のうち第１吸着素子（８１）に隣接する部分の上部に設けられている。第１左上開口（３３）の開閉シャッタが開いた状態では、第１上部流路（５３）と左上部流路（６７）が互いに連通する。第１左下開口（３４）は、左側仕切板（３０）のうち第１吸着素子（８１）に隣接する部分の下部に設けられている。第１左下開口（３４）の開閉シャッタが開いた状態では、第１下部流路（５４）と左下部流路（６８）が互いに連通する。
【００５８】
第２左上開口（３５）は、左側仕切板（３０）のうち第２吸着素子（８２）に隣接する部分の上部に設けられている。第２左上開口（３５）の開閉シャッタが開いた状態では、第２上部流路（５５）と左上部流路（６７）が互いに連通する。第２左下開口（３６）は、左側仕切板（３０）のうち第２吸着素子（８２）に隣接する部分の下部に設けられている。第２左下開口（３６）の開閉シャッタが開いた状態では、第２下部流路（５６）と左下部流路（６８）が互いに連通する。
【００５９】
−運転動作−
上記調湿装置の運転動作について説明する。この調湿装置は、除湿運転と加湿運転とを切り換えて行う。また、この調湿装置は、第１動作と第２動作とを交互に繰り返すことによって除湿運転や加湿運転を行う。
【００６０】
《除湿運転》
図１，図２に示すように、除湿運転時において、給気ファン（９５）を駆動すると、室外空気（ＯＡ）が室外側吸込口（１３）を通じてケーシング（１０）内に取り込まれる。この室外空気は、第１空気として吸込側左上流路（４７）へ流入する。一方、排気ファン（９６）を駆動すると、室内空気（ＲＡ）が室内側吸込口（１５）を通じてケーシング（１０）内に取り込まれる。この室内空気は、第２空気として吸込側右上流路（４５）へ流入する。
【００６１】
顕熱交換器（１１０）は、その一方の通路へ吸込側左上流路（４７）から第１空気が導入され、その他方の通路へ吸込側右上流路（４５）から第２空気が導入される。ここで、除湿運転が行われるのは主に夏期であり、第１空気としての室外空気は３４℃程度であるのに対し、第２空気としての室内空気は２６℃程度である。このため、顕熱交換器（１１０）では、第１空気と第２空気が熱交換し、第１空気が第２空気へ放熱する。そして、第１空気は、顕熱交換器（１１０）で冷却された後に吸込側右下流路（４６）へ流入する。一方、第２空気は、顕熱交換器（１１０）で第１空気から吸熱した後に吸込側左下流路（４８）へ流入する。
【００６２】
また、除湿運転時において、冷媒回路では、再生熱交換器（１０２）が凝縮器となり、第１熱交換器（１０３）が蒸発器となる一方、第２熱交換器（１０４）が休止している。
【００６３】
除湿運転の第１動作について、図１，図５を参照しながら説明する。この第１動作では、第１吸着素子（８１）についての吸着動作と、第２吸着素子（８２）についての再生動作とが行われる。つまり、第１動作では、第１吸着素子（８１）で空気が減湿されると同時に、第２吸着素子（８２）の吸着剤が再生される。
【００６４】
図１に示すように、右側仕切板（２０）では、第１右下開口（２４）と第２右上開口（２５）とが連通状態となり、残りの開口（２１，２２，２３，２６）が遮断状態となっている。この状態では、第１右下開口（２４）によって右下部流路（６６）と第１下部流路（５４）とが連通され、第２右上開口（２５）によって第２上部流路（５５）と右上部流路（６５）とが連通される。
【００６５】
左側仕切板（３０）では、第１左側開口（３１）と第１左上開口（３３）とが連通状態となり、残りの開口（３２，３４，３５，３６）が遮断状態となっている。この状態では、第１左側開口（３１）によって左下部流路（６８）と第１流路（５１）とが連通され、第１左上開口（３３）によって第１上部流路（５３）と左上部流路（６７）とが連通される。
【００６６】
第１シャッタ（６１）は閉鎖状態となり、第２シャッタ（６２）は開口状態となっている。この状態では、中央流路（５７）と第２下部流路（５６）とが、第２シャッタ（６２）を介して連通される。
【００６７】
顕熱交換器（１１０）で冷却された第１空気は、吸込側右下流路（４６）から右下部流路（６６）へ流入し、その後に第１右下開口（２４）を通って第１下部流路（５４）へ流入する。一方、第２空気は、吸込側左下流路（４８）から左下部流路（６８）へ流入し、その後に第１左側開口（３１）を通って第１流路（５１）へ流入する。
【００６８】
図５（ａ）にも示すように、第１下部流路（５４）の第１空気は、第１吸着素子（８１）の調湿側通路（８５）へ流入する。この調湿側通路（８５）を流れる間に、第１空気に含まれる水蒸気が吸着剤に吸着される。第１吸着素子（８１）で減湿された第１空気は、第１上部流路（５３）へ流入する。
【００６９】
一方、第１流路（５１）の第２空気は、第１吸着素子（８１）の冷却側通路（８６）へ流入する。この冷却側通路（８６）を流れる間に、第２空気は、調湿側通路（８５）で水蒸気が吸着剤に吸着される際に生じた吸着熱を吸熱する。吸着熱を奪った第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から第２下部流路（５６）へ流入する。
【００７０】
第１吸着素子（８１）及び再生熱交換器（１０２）で加熱された第２空気は、第２吸着素子（８２）の調湿側通路（８５）へ導入される。この調湿側通路（８５）では、第２空気によって吸着剤が加熱され、吸着剤から水蒸気が脱離する。つまり、第２吸着素子（８２）の再生が行われる。吸着剤から脱離した水蒸気は、第２空気と共に第２上部流路（５５）へ流入する。
【００７１】
図１に示すように、第１上部流路（５３）へ流入した減湿後の第１空気は、第１左上開口（３３）を通って左上部流路（６７）へ流入し、その後に給気側流路（４２）へ流入する。この第１空気は、給気側流路（４２）を流れる間に第１熱交換器（１０３）を通過し、冷媒との熱交換によって冷却される。その後、減湿されて冷却された第１空気は、給気口（１４）を通って室内へ供給される。
【００７２】
一方、第２上部流路（５５）へ流入した第２空気は、第２右上開口（２５）を通って右上部流路（６５）へ流入し、その後に排気側流路（４１）へ流入する。この第２空気は、排気側流路（４１）を流れる間に第２熱交換器（１０４）を通過する。その際、第２熱交換器（１０４）は休止しており、第２空気は加熱も冷却もされない。そして、第１吸着素子（８１）の冷却と第２吸着素子（８２）の再生に利用された第２空気は、排気口（１６）を通って室外へ排出される。
【００７３】
除湿運転の第２動作について、図２，図５を参照しながら説明する。この第２動作では、第１動作時とは逆に、第２吸着素子（８２）についての吸着動作と、第１吸着素子（８１）についての再生動作とが行われる。つまり、第２動作では、第２吸着素子（８２）で空気が減湿されると同時に、第１吸着素子（８１）の吸着剤が再生される。
【００７４】
図２に示すように、右側仕切板（２０）では、第１右上開口（２３）と第２右下開口（２６）とが連通状態となり、残りの開口（２１，２２，２４，２５）が遮断状態となっている。この状態では、第１右上開口（２３）によって第１上部流路（５３）と右上部流路（６５）とが連通され、第２右下開口（２６）によって右下部流路（６６）と第２下部流路（５６）とが連通される。
【００７５】
左側仕切板（３０）では、第２左側開口（３２）と第２左上開口（３５）とが連通状態となり、残りの開口（３１，３３，３４，３６）が遮断状態となっている。この状態では、第２左側開口（３２）によって左下部流路（６８）と第２流路（５２）とが連通され、第２左上開口（３５）によって第２上部流路（５５）と左上部流路（６７）とが連通される。
【００７６】
第２シャッタ（６２）は閉鎖状態となり、第１シャッタ（６１）は開口状態となっている。この状態では、中央流路（５７）と第１下部流路（５４）とが、第１シャッタ（６１）を介して連通される。
【００７７】
顕熱交換器（１１０）で冷却された第１空気は、吸込側右下流路（４６）から右下部流路（６６）へ流入し、その後に第２右下開口（２６）を通って第２下部流路（５６）へ流入する。一方、第２空気は、吸込側左下流路（４８）から左下部流路（６８）へ流入し、その後に第２左側開口（３２）を通って第２流路（５２）へ流入する。
【００７８】
図５（ｂ）にも示すように、第２下部流路（５６）の第１空気は、第２吸着素子（８２）の調湿側通路（８５）へ流入する。この調湿側通路（８５）を流れる間に、第１空気に含まれる水蒸気が吸着剤に吸着される。第２吸着素子（８２）で減湿された第１空気は、第２上部流路（５５）へ流入する。
【００７９】
一方、第２流路（５２）の第２空気は、第２吸着素子（８２）の冷却側通路（８６）へ流入する。この冷却側通路（８６）を流れる間に、第２空気は、調湿側通路（８５）で水蒸気が吸着剤に吸着される際に生じた吸着熱を吸熱する。吸着熱を奪った第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から第１下部流路（５４）へ流入する。
【００８０】
第２吸着素子（８２）及び再生熱交換器（１０２）で加熱された第２空気は、第１吸着素子（８１）の調湿側通路（８５）へ導入される。この調湿側通路（８５）では、第２空気によって吸着剤が加熱され、吸着剤から水蒸気が脱離する。つまり、第１吸着素子（８１）の再生が行われる。吸着剤から脱離した水蒸気は、第２空気と共に第１上部流路（５３）へ流入する。
【００８１】
図２に示すように、第２上部流路（５５）へ流入した減湿後の第１空気は、第２左上開口（３５）を通って左上部流路（６７）へ流入し、その後に給気側流路（４２）へ流入する。この第１空気は、給気側流路（４２）を流れる間に第１熱交換器（１０３）を通過し、冷媒との熱交換によって冷却される。その後、減湿されて冷却された第１空気は、給気口（１４）を通って室内へ供給される。
【００８２】
一方、第１上部流路（５３）へ流入した第２空気は、第１右上開口（２３）を通って右上部流路（６５）へ流入し、その後に排気側流路（４１）へ流入する。この第２空気は、排気側流路（４１）を流れる間に第２熱交換器（１０４）を通過する。その際、第２熱交換器（１０４）は休止しており、第２空気は加熱も冷却もされない。そして、第１吸着素子（８１）の冷却と第２吸着素子（８２）の再生に利用された第２空気は、排気口（１６）を通って室外へ排出される。
【００８３】
《加湿運転》
図３，図４に示すように、加湿運転時において、給気ファン（９５）を駆動すると、室外空気（ＯＡ）が室外側吸込口（１３）を通じてケーシング（１０）内に取り込まれる。この室外空気は、第２空気として吸込側左上流路（４７）へ流入する。一方、排気ファン（９６）を駆動すると、室内空気（ＲＡ）が室内側吸込口（１５）を通じてケーシング（１０）内に取り込まれる。この室内空気は、第１空気として吸込側右上流路（４５）へ流入する。
【００８４】
顕熱交換器（１１０）は、その一方の通路へ吸込側左上流路（４７）から第１空気が導入され、その他方の通路へ吸込側右上流路（４５）から第２空気が導入される。ここで、加湿運転が行われるのは主に冬期であり、第１空気としての室内空気は２０℃程度であるのに対し、第２空気としての室外空気は０℃程度である。このため、顕熱交換器（１１０）では、第１空気と第２空気が熱交換し、第１空気が第２空気へ放熱する。そして、第１空気は、顕熱交換器（１１０）で冷却された後に吸込側左下流路（４８）へ流入する。一方、第２空気は、顕熱交換器（１１０）で第１空気から吸熱した後に吸込側右下流路（４６）へ流入する。
【００８５】
また、加湿運転時において、冷媒回路では、再生熱交換器（１０２）が凝縮器となり、第２熱交換器（１０４）が蒸発器となる一方、第１熱交換器（１０３）が休止している。
【００８６】
加湿運転の第１動作について、図３，図５を参照しながら説明する。この第１動作では、第１吸着素子（８１）についての吸着動作と、第２吸着素子（８２）についての再生動作とが行われる。つまり、第１動作では、第２吸着素子（８２）で空気が加湿され、第１吸着素子（８１）の吸着剤が水蒸気を吸着する。
【００８７】
図３に示すように、右側仕切板（２０）では、第１右側開口（２１）と第１右上開口（２３）とが連通状態となり、残りの開口（２２，２４，２５，２６）が遮断状態となっている。この状態では、第１右側開口（２１）によって右下部流路（６６）と第１流路（５１）とが連通され、第１右上開口（２３）によって第１上部流路（５３）と右上部流路（６５）とが連通される。
【００８８】
左側仕切板（３０）では、第１左下開口（３４）と第２左上開口（３５）とが連通状態となり、残りの開口（３１，３２，３３，３６）が遮断状態となっている。この状態では、第１左下開口（３４）によって左下部流路（６８）と第１下部流路（５４）とが連通され、第２左上開口（３５）によって第２上部流路（５５）と左上部流路（６７）とが連通される。
【００８９】
第１シャッタ（６１）は閉鎖状態となり、第２シャッタ（６２）は開口状態となっている。この状態では、中央流路（５７）と第２下部流路（５６）とが、第２シャッタ（６２）を介して連通される。
【００９０】
顕熱交換器（１１０）で冷却された第１空気は、吸込側左下流路（４８）から左下部流路（６８）へ流入し、その後に第１左下開口（３４）を通って第１下部流路（５４）へ流入する。一方、第２空気は、吸込側右下流路（４６）から右下部流路（６６）へ流入し、その後に第１右側開口（２１）を通って第１流路（５１）へ流入する。
【００９１】
図５（ａ）にも示すように、第１下部流路（５４）の第１空気は、第１吸着素子（８１）の調湿側通路（８５）へ流入する。この調湿側通路（８５）を流れる間に、第１空気に含まれる水蒸気が吸着剤に吸着される。第１吸着素子（８１）で水分を奪われた第１空気は、第１上部流路（５３）へ流入する。
【００９２】
一方、第１流路（５１）の第２空気は、第１吸着素子（８１）の冷却側通路（８６）へ流入する。この冷却側通路（８６）を流れる間に、第２空気は、調湿側通路（８５）で水蒸気が吸着剤に吸着される際に生じた吸着熱を吸熱する。吸着熱を奪った第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から第２下部流路（５６）へ流入する。
【００９３】
第１吸着素子（８１）及び再生熱交換器（１０２）で加熱された第２空気は、第２吸着素子（８２）の調湿側通路（８５）へ導入される。この調湿側通路（８５）では、第２空気によって吸着剤が加熱され、吸着剤から水蒸気が脱離する。つまり、第２吸着素子（８２）の再生が行われる。そして、吸着剤から脱離した水蒸気が第２空気に付与され、第２空気が加湿される。第２吸着素子（８２）で加湿された第２空気は、その後に第２上部流路（５５）へ流入する。
【００９４】
図３に示すように、第２上部流路（５５）へ流入した第２空気は、第２左上開口（３５）を通って左上部流路（６７）へ流入し、その後に給気側流路（４２）へ流入する。この第２空気は、給気側流路（４２）を流れる間に第１熱交換器（１０３）を通過する。その際、第１熱交換器（１０３）は休止しており、第２空気は加熱も冷却もされない。そして、加湿された第２空気は、給気口（１４）を通って室内へ供給される。
【００９５】
一方、第１上部流路（５３）へ流入した第１空気は、第１右上開口（２３）を通って右上部流路（６５）へ流入し、その後に排気側流路（４１）へ流入する。この第１空気は、排気側流路（４１）を流れる間に第２熱交換器（１０４）を通過し、冷媒との熱交換によって冷却される。その後、水分と熱を奪われた第１空気は、排気口（１６）を通って室外へ排出される。
【００９６】
加湿運転の第２動作について、図４，図５を参照しながら説明する。この第２動作では、第１動作時とは逆に、第２吸着素子（８２）についての吸着動作と、第１吸着素子（８１）についての再生動作とが行われる。つまり、この第２動作では、第１吸着素子（８１）で空気が加湿され、第２吸着素子（８２）の吸着剤が水蒸気を吸着する。
【００９７】
図４に示すように、右側仕切板（２０）では、第２右側開口（２２）と第２右上開口（２５）とが連通状態となり、残りの開口（２１，２３，２４，２６）が遮断状態となっている。この状態では、第２右側開口（２２）によって右下部流路（６６）と第２流路（５２）とが連通され、第２右上開口（２５）によって第２上部流路（５５）と右上部流路（６５）とが連通される。
【００９８】
左側仕切板（３０）では、第１左上開口（３３）と第２左下開口（３６）とが連通状態となり、残りの開口（３１，３２，３４，３５）が遮断状態となっている。この状態では、第１左上開口（３３）によって第１上部流路（５３）と左上部流路（６７）とが連通され、第２左下開口（３６）によって左下部流路（６８）と第２下部流路（５６）とが連通される。
【００９９】
第２シャッタ（６２）は閉鎖状態となり、第１シャッタ（６１）は開口状態となっている。この状態では、中央流路（５７）と第１下部流路（５４）とが、第１シャッタ（６１）を介して連通される。
【０１００】
顕熱交換器（１１０）で冷却された第１空気は、吸込側左下流路（４８）から左下部流路（６８）へ流入し、その後に第２左下開口（３６）を通って第２下部流路（５６）へ流入する。一方、第２空気は、吸込側右下流路（４６）から右下部流路（６６）へ流入し、その後に第２右側開口（２２）を通って第２流路（５２）へ流入する。
【０１０１】
図５（ｂ）にも示すように、第２下部流路（５６）の第１空気は、第２吸着素子（８２）の調湿側通路（８５）へ流入する。この調湿側通路（８５）を流れる間に、第１空気に含まれる水蒸気が吸着剤に吸着される。第２吸着素子（８２）で水分を奪われた第１空気は、第２上部流路（５５）へ流入する。
【０１０２】
一方、第２流路（５２）の第２空気は、第２吸着素子（８２）の冷却側通路（８６）へ流入する。この冷却側通路（８６）を流れる間に、第２空気は、調湿側通路（８５）で水蒸気が吸着剤に吸着される際に生じた吸着熱を吸熱する。吸着熱を奪った第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から第１下部流路（５４）へ流入する。
【０１０３】
第２吸着素子（８２）及び再生熱交換器（１０２）で加熱された第２空気は、第１吸着素子（８１）の調湿側通路（８５）へ導入される。この調湿側通路（８５）では、第２空気によって吸着剤が加熱され、吸着剤から水蒸気が脱離する。つまり、第１吸着素子（８１）の再生が行われる。そして、吸着剤から脱離した水蒸気が第２空気に付与され、第２空気が加湿される。第１吸着素子（８１）で加湿された第２空気は、その後に第１上部流路（５３）へ流入する。
【０１０４】
図４に示すように、第１上部流路（５３）へ流入した第２空気は、第１左上開口（３３）を通って左上部流路（６７）へ流入し、その後に給気側流路（４２）へ流入する。この第２空気は、給気側流路（４２）を流れる間に第１熱交換器（１０３）を通過する。その際、第１熱交換器（１０３）は休止しており、第２空気は加熱も冷却もされない。そして、加湿された第２空気は、給気口（１４）を通って室内へ供給される。
【０１０５】
一方、第２上部流路（５５）へ流入した第１空気は、第２右上開口（２５）を通って右上部流路（６５）へ流入し、その後に排気側流路（４１）へ流入する。この第１空気は、排気側流路（４１）を流れる間に第２熱交換器（１０４）を通過し、冷媒との熱交換によって冷却される。その後、水分と熱を奪われた第１空気は、排気口（１６）を通って室外へ排出される。
【０１０６】
−実施形態１の効果−
本実施形態１では、除湿運転時において、室外空気を第１空気として取り込むと共に、室内空気を第２空気として取り込んでいる。そして、取り込んだ第１空気を顕熱交換器（１１０）で冷却し、その後に吸着素子（８１，８２）の調湿側通路（８５）へ導入している。このため、本実施形態によれば、調湿装置が発揮し得る除湿能力を増大させることができる。
【０１０７】
この点について、図７の空気線図を参照しながら説明する。同図において、点Ａの状態の第１空気（即ち室外空気）は、顕熱交換器（１１０）で冷却されて点Ｂの状態となり、その後に吸着素子（８１，８２）の調湿側通路（８５）へ導入されて減湿される。一方、点Ｄの状態の第２空気（即ち室内空気）は、顕熱交換器（１１０）で第１空気から吸熱して点Ｅの状態となり、その後に吸着素子（８１，８２）の冷却側通路（８６）で吸着熱を吸熱して点Ｆの状態となり、更に再生熱交換器（１０２）で加熱されて点Ｇの状態となる。そして、点Ｇの状態の第２空気が吸着素子（８１，８２）の調湿側通路（８５）へ導入され、吸着素子（８１，８２）が再生される。
【０１０８】
上述のように、本実施形態において、第１空気は、顕熱交換器（１１０）で冷却されて点Ｂの状態（即ち点Ａよりも相対湿度が高い状態）となり、その後に吸着素子（８１，８２）へ導入される。このため、吸着素子（８１，８２）の調湿側通路（８５）から流出した第２空気の状態は、点Ｈの状態（即ち点Ｈ’の状態よりも相対湿度及び絶対湿度が高い状態）にまで到達し得る。本実施形態の調湿装置が発揮し得る再生能力の最大値は、点Ｈと点Ｇの絶対湿度差ΔＸｄによって代表される。また、この絶対湿度差ΔＸｄは、絶対湿度差ΔＸｄ’（即ち第１空気を予め冷却しない場合に調湿装置が発揮し得る再生能力の最大値を代表する値）よりも大きくなる。
【０１０９】
調湿装置では再生量と除湿量が必ず均衡するため、除湿後における第１空気の絶対湿度は、点Ａの状態よりも絶対湿度がΔＸｄだけ低い点Ｃの状態にまで低下させることが可能となる。従って、本実施形態によれば、吸着素子（８１，８２）で除湿された後における第１空気の絶対湿度を、顕熱交換器（１１０）で第１空気を冷却しない場合における点Ｃ’の状態よりも低下させることができ、調湿装置の除湿能力を向上させることが可能となる。
【０１１０】
また、本実施形態１では、加湿運転時において、室内空気を第１空気として取り込むと共に、室外空気を第２空気として取り込んでいる。そして、取り込んだ第１空気を顕熱交換器（１１０）で冷却し、その後に吸着素子（８１，８２）の調湿側通路（８５）へ導入している。このため、本実施形態によれば、調湿装置が発揮し得る加湿能力を増大させることができる。
【０１１１】
この点について、図８の空気線図を参照しながら説明する。同図において、点Ｎの状態の第１空気（即ち室内空気）は、顕熱交換器（１１０）で冷却されて点Ｏの状態となり、その後に吸着素子（８１，８２）の調湿側通路（８５）へ導入されて減湿される。一方、点Ｉの状態の第２空気（即ち室外空気）は、顕熱交換器（１１０）で第１空気から吸熱して点Ｊの状態となり、その後に吸着素子（８１，８２）の冷却側通路（８６）で吸着熱を吸熱して点Ｋの状態となり、更に再生熱交換器（１０２）で加熱されて点Ｌの状態となる。そして、点Ｌの状態の第２空気が吸着素子（８１，８２）の調湿側通路（８５）へ導入され、吸着素子（８１，８２）が再生される。
【０１１２】
上述のように、本実施形態において、第１空気は、顕熱交換器（１１０）で冷却されて点Ｏの状態（即ち点Ｎよりも温度の低い状態）となり、その後に吸着素子（８１，８２）へ導入される。このため、吸着素子（８１，８２）の調湿側通路（８５）から流出した第１空気の状態は、点Ｐの状態（即ち点Ｐ’の状態に対して絶対湿度が低く相対湿度が等しい状態）にまで到達し得る。本実施形態の調湿装置が発揮し得る吸着能力の最大値は、点Ｏと点Ｐの絶対湿度差ΔＸｈによって代表される。また、この絶対湿度差ΔＸｈは、絶対湿度差ΔＸｈ’（即ち第１空気を予め冷却しない場合に調湿装置が発揮し得る吸着能力の最大値を代表する値）よりも大きくなる。
【０１１３】
調湿装置では吸着量と加湿量が必ず均衡するため、加湿後における第２空気の絶対湿度は、点Ｌの状態よりも絶対湿度がΔＸｈだけ高い点Ｍの状態にまで上昇させることが可能となる。従って、本実施形態によれば、吸着素子（８１，８２）で加湿された後における第２空気の絶対湿度を、顕熱交換器（１１０）で第１空気を冷却しない場合における点Ｍ’の状態よりも上昇させることができ、調湿装置の加湿能力を向上させることが可能となる。
【０１１４】
−実施形態１の変形例−
上記実施形態では、再生熱交換器（１０２）を冷媒回路に接続し、再生熱交換器（１０２）で冷媒と第２空気を熱交換させ、冷媒の凝縮熱によって第２空気を加熱しているが、これに代えて、次のような構成を採っても良い。
【０１１５】
つまり、再生熱交換器（１０２）へ温水を供給し、再生熱交換器（１０２）で温水と第２空気を熱交換させることによって第２空気を加熱するようにしても良い。図９に示すように、本変形例の調湿装置において、第１熱交換器（１０３）や第２熱交換器（１０４）、圧縮機（１０１）等を備える冷媒回路は省略され、温水の循環路に接続された再生熱交換器（１０２）だけが設けられている。
【０１１６】
【発明の実施の形態２】
本発明の実施形態２は、上記実施形態１において吸着素子（８１，８２）の構成を変更すると共に、それに併せて調湿装置の構成を変更したものである。ここでは、本実施形態の調湿装置について、上記実施形態１と異なる点を説明する。尚、本実施形態２の説明において、「上」　「下」　「左」　「右」　「前」　「後」　「手前」　「奥」　は、特にことわらない限り、図１０に示す調湿装置を正面側から見た場合のものを意味している。
【０１１７】
本実施形態の吸着素子（８１，８２）には、調湿側通路（８５）だけが形成されている。この吸着素子（８１，８２）では、その上下の側面に調湿側通路（８５）が開口している。また、吸着素子（８１，８２）における前後の側面と左右の端面とは、閉塞面となっている。
【０１１８】
図１０に示すように、本実施形態の調湿装置では、右側仕切板（２０）と左側仕切板（３０）の間の空間が、第１上部流路（５３）、第１下部流路（５４）、第２上部流路（５５）、第２下部流路（５６）、及び中央流路（５７）に区画されている。つまり、この調湿装置において、第１流路（５１）及び第２流路（５２）は設けられていない。
【０１１９】
第１流路（５１）及び第２流路（５２）を省略したのに伴い、右側仕切板（２０）では、第１右側開口（２１）及び第２右側開口（２２）が省略されている。また、この右側仕切板（２０）には、第１右下開口（２４）と第２右下開口（２６）の間に右中央開口（２７）が形成されている。この右中央開口（２７）は、開閉シャッタを備えて開閉自在に構成されている。右中央開口（２７）の開閉シャッタが開いた状態では、中央流路（５７）と右下部流路（６６）が互いに連通する。
【０１２０】
一方、左側仕切板（３０）では、第１左側開口（３１）及び第２左側開口（３２）が省略されている。また、この左側仕切板（３０）には、第１左下開口（３４）と第２左下開口（３６）の間に左中央開口（３７）が形成されている。この左中央開口（３７）は、開閉シャッタを備えて開閉自在に構成されている。左中央開口（３７）の開閉シャッタが開いた状態では、中央流路（５７）と左下部流路（６８）が互いに連通する。
【０１２１】
本実施形態の再生熱交換器（１０２）には、温水の流れる配管が接続されている。この再生熱交換器（１０２）は、温水と熱交換させることによって空気を加熱する。
【０１２２】
図１５にも示すように、上記再生熱交換器（１０２）は、上下方向に空気が通過する姿勢で、中央流路（５７）を上下に仕切るように設置されている。また、中央流路（５７）には、再生熱交換器（１０２）の左右の端面から下方へ延びる仕切りが設けられている。そして、中央流路（５７）は、再生熱交換器（１０２）の上方と左右の空間が再生熱交換器（１０２）の上流側となり、再生熱交換器（１０２）の下方の空間が再生熱交換器（１０２）の下流側となっている。
【０１２３】
−運転動作−
上記調湿装置の運転動作について説明する。この調湿装置は、除湿運転と加湿運転とを切り換えて行う。また、この調湿装置は、第１動作と第２動作とを交互に繰り返すことによって除湿運転や加湿運転を行う。
【０１２４】
《除湿運転》
図１０及び図１１に示すように、除湿運転時において、給気ファン（９５）を駆動すると、室外空気（ＯＡ）が第１空気としてケーシング（１０）内に取り込まれる。また、排気ファン（９６）を駆動すると、室内空気（ＲＡ）が第２空気としてケーシング（１０）内に取り込まれる。第１空気と第２空気は、顕熱交換器（１１０）へ流入して互いに熱交換する。そして、顕熱交換器（１１０）で冷却された第１空気が吸込側右下流路（４６）へ流入し、顕熱交換器（１１０）で吸熱した第２空気が吸込側左下流路（４８）へ流入する。以上の動作は、上記実施形態１における除湿運転と同様である。
【０１２５】
除湿運転の第１動作について、図１０，図１４，図１５を参照しながら説明する。この第１動作では、第１吸着素子（８１）についての吸着動作と、第２吸着素子（８２）についての再生動作とが行われる。つまり、第１動作では、第１吸着素子（８１）で空気が減湿されると同時に、第２吸着素子（８２）の吸着剤が再生される。
【０１２６】
図１０に示すように、右側仕切板（２０）では、第１右下開口（２４）と第２右上開口（２５）とが連通状態となり、残りの開口（２３，２６，２７）が遮断状態となっている。この状態では、第１右下開口（２４）によって右下部流路（６６）と第１下部流路（５４）とが連通され、第２右上開口（２５）によって第２上部流路（５５）と右上部流路（６５）とが連通される。
【０１２７】
左側仕切板（３０）では、第１左上開口（３３）と左中央開口（３７）とが連通状態となり、残りの開口（３４，３５，３６）が遮断状態となっている。この状態では、第１左上開口（３３）によって第１上部流路（５３）と左上部流路（６７）とが連通され、左中央開口（３７）によって左下部流路（６８）と中央流路（５７）における再生熱交換器（１０２）の上流側とが連通される。
【０１２８】
第１シャッタ（６１）は閉鎖状態となり、第２シャッタ（６２）は開口状態となっている。この状態では、中央流路（５７）における再生熱交換器（１０２）の下流側と第２下部流路（５６）とが、第２シャッタ（６２）を介して連通される。
【０１２９】
顕熱交換器（１１０）で冷却された第１空気は、吸込側右下流路（４６）から右下部流路（６６）へ流入し、その後に第１右下開口（２４）を通って第１下部流路（５４）へ流入する。一方、第２空気は、吸込側左下流路（４８）から左下部流路（６８）へ流入し、その後に左中央開口（３７）を通って中央流路（５７）における再生熱交換器（１０２）の上流側へ流入する（図１５を参照）。
【０１３０】
図１４（ａ）にも示すように、第１下部流路（５４）の第１空気は、第１吸着素子（８１）の調湿側通路（８５）へ流入する。この調湿側通路（８５）を流れる間に、第１空気に含まれる水蒸気が吸着剤に吸着される。第１吸着素子（８１）で減湿された第１空気は、第１上部流路（５３）へ流入する。
【０１３１】
一方、第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から第２下部流路（５６）へ流入する。再生熱交換器（１０２）で加熱された第２空気は、第２吸着素子（８２）の調湿側通路（８５）へ導入される。この調湿側通路（８５）では、第２空気によって吸着剤が加熱され、吸着剤から水蒸気が脱離する。つまり、第２吸着素子（８２）の再生が行われる。吸着剤から脱離した水蒸気は、第２空気と共に第２上部流路（５５）へ流入する。
【０１３２】
図１０に示すように、第１上部流路（５３）へ流入した減湿後の第１空気は、第１左上開口（３３）を通って左上部流路（６７）へ流入し、その後に給気側流路（４２）へ流入する。この第１空気は、給気側流路（４２）から給気口（１４）を通って室内へ供給される。一方、第２上部流路（５５）へ流入した第２空気は、第２右上開口（２５）を通って右上部流路（６５）へ流入し、その後に排気側流路（４１）へ流入する。この第２空気は、排気側流路（４１）から排気口（１６）を通って室外へ排出される。
【０１３３】
除湿運転の第２動作について、図１１，図１４を参照しながら説明する。この第２動作では、第１動作時とは逆に、第２吸着素子（８２）についての吸着動作と、第１吸着素子（８１）についての再生動作とが行われる。つまり、第２動作では、第２吸着素子（８２）で空気が減湿されると同時に、第１吸着素子（８１）の吸着剤が再生される。
【０１３４】
図１１に示すように、右側仕切板（２０）では、第１右上開口（２３）と第２右下開口（２６）とが連通状態となり、残りの開口（２４，２５，２７）が遮断状態となっている。この状態では、第１右上開口（２３）によって第１上部流路（５３）と右上部流路（６５）とが連通され、第２右下開口（２６）によって右下部流路（６６）と第２下部流路（５６）とが連通される。
【０１３５】
左側仕切板（３０）では、第２左上開口（３５）と左中央開口（３７）とが連通状態となり、残りの開口（３３，３４，３６）が遮断状態となっている。この状態では、第２左上開口（３５）によって第２上部流路（５５）と左上部流路（６７）とが連通され、左中央開口（３７）によって左下部流路（６８）と中央流路（５７）における再生熱交換器（１０２）の上流側とが連通される。
【０１３６】
第２シャッタ（６２）は閉鎖状態となり、第１シャッタ（６１）は開口状態となっている。この状態では、中央流路（５７）における再生熱交換器（１０２）の下流側と第１下部流路（５４）とが、第１シャッタ（６１）を介して連通される。
【０１３７】
顕熱交換器（１１０）で冷却された第１空気は、吸込側右下流路（４６）から右下部流路（６６）へ流入し、その後に第２右下開口（２６）を通って第２下部流路（５６）へ流入する。一方、第２空気は、吸込側左下流路（４８）から左下部流路（６８）へ流入し、その後に左中央開口（３７）を通って中央流路（５７）における再生熱交換器（１０２）の上流側へ流入する（図１５を参照）。
【０１３８】
図１４（ｂ）にも示すように、第２下部流路（５６）の第１空気は、第２吸着素子（８２）の調湿側通路（８５）へ流入する。この調湿側通路（８５）を流れる間に、第１空気に含まれる水蒸気が吸着剤に吸着される。第２吸着素子（８２）で減湿された第１空気は、第２上部流路（５５）へ流入する。
【０１３９】
一方、第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から第１下部流路（５４）へ流入する。再生熱交換器（１０２）で加熱された第２空気は、第１吸着素子（８１）の調湿側通路（８５）へ導入される。この調湿側通路（８５）では、第２空気によって吸着剤が加熱され、吸着剤から水蒸気が脱離する。つまり、第１吸着素子（８１）の再生が行われる。吸着剤から脱離した水蒸気は、第２空気と共に第１上部流路（５３）へ流入する。
【０１４０】
図１１に示すように、第２上部流路（５５）へ流入した減湿後の第１空気は、第２左上開口（３５）を通って左上部流路（６７）へ流入し、その後に給気側流路（４２）へ流入する。この第１空気は、給気側流路（４２）から給気口（１４）を通って室内へ供給される。一方、第１上部流路（５３）へ流入した第２空気は、第１右上開口（２３）を通って右上部流路（６５）へ流入し、その後に排気側流路（４１）へ流入する。この第２空気は、排気側流路（４１）から排気口（１６）を通って室外へ排出される。
【０１４１】
《加湿運転》
図１２，図１３に示すように、加湿運転時において、給気ファン（９５）を駆動すると、室外空気（ＯＡ）が第２空気としてケーシング（１０）内に取り込まれる。また、排気ファン（９６）を駆動すると、室内空気（ＲＡ）が第１空気としてケーシング（１０）内に取り込まれる。第１空気と第２空気は、顕熱交換器（１１０）へ流入して互いに熱交換する。そして、顕熱交換器（１１０）で冷却された第１空気が吸込側左下流路（４８）へ流入し、顕熱交換器（１１０）で吸熱した第２空気が吸込側右下流路（４６）へ流入する。以上の動作は、上記実施形態１における加湿運転と同様である。
【０１４２】
加湿運転の第１動作について、図１２，図１４，図１５を参照しながら説明する。この第１動作では、第１吸着素子（８１）についての吸着動作と、第２吸着素子（８２）についての再生動作とが行われる。つまり、第１動作では、第２吸着素子（８２）で空気が加湿され、第１吸着素子（８１）の吸着剤が水蒸気を吸着する。
【０１４３】
図１２に示すように、右側仕切板（２０）では、第１右上開口（２３）と右中央開口（２７）とが連通状態となり、残りの開口（２４，２５，２６）が遮断状態となっている。この状態では、第１右上開口（２３）によって第１上部流路（５３）と右上部流路（６５）とが連通され、右中央開口（２７）によって右下部流路（６６）と中央流路（５７）における再生熱交換器（１０２）の上流側とが連通される。
【０１４４】
左側仕切板（３０）では、第１左下開口（３４）と第２左上開口（３５）とが連通状態となり、残りの開口（３３，３６，３７）が遮断状態となっている。この状態では、第１左下開口（３４）によって左下部流路（６８）と第１下部流路（５４）とが連通され、第２左上開口（３５）によって第２上部流路（５５）と左上部流路（６７）とが連通される。
【０１４５】
第１シャッタ（６１）は閉鎖状態となり、第２シャッタ（６２）は開口状態となっている。この状態では、中央流路（５７）における再生熱交換器（１０２）の下流側と第２下部流路（５６）とが、第２シャッタ（６２）を介して連通される。
【０１４６】
顕熱交換器（１１０）で冷却された第１空気は、吸込側左下流路（４８）から左下部流路（６８）へ流入し、その後に第１左下開口（３４）を通って第１下部流路（５４）へ流入する。一方、第２空気は、吸込側右下流路（４６）から右下部流路（６６）へ流入し、その後に右中央開口（２７）を通って中央流路（５７）における再生熱交換器（１０２）の上流側へ流入する（図１５を参照）。
【０１４７】
図１４（ａ）にも示すように、第１下部流路（５４）の第１空気は、第１吸着素子（８１）の調湿側通路（８５）へ流入する。この調湿側通路（８５）を流れる間に、第１空気に含まれる水蒸気が吸着剤に吸着される。第１吸着素子（８１）で水分を奪われた第１空気は、第１上部流路（５３）へ流入する。
【０１４８】
一方、第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から第２下部流路（５６）へ流入する。再生熱交換器（１０２）で加熱された第２空気は、第２吸着素子（８２）の調湿側通路（８５）へ導入される。この調湿側通路（８５）では、第２空気によって吸着剤が加熱され、吸着剤から水蒸気が脱離する。つまり、第２吸着素子（８２）の再生が行われる。そして、吸着剤から脱離した水蒸気が第２空気に付与され、第２空気が加湿される。第２吸着素子（８２）で加湿された第２空気は、その後に第２上部流路（５５）へ流入する。
【０１４９】
図１２に示すように、第２上部流路（５５）へ流入した第２空気は、第２左上開口（３５）を通って左上部流路（６７）へ流入し、その後に給気側流路（４２）へ流入する。この第２空気は、左上部流路（６７）から給気口（１４）を通って室内へ供給される。一方、第１上部流路（５３）へ流入した第１空気は、第１右上開口（２３）を通って右上部流路（６５）へ流入し、その後に排気側流路（４１）へ流入する。この第１空気は、排気側流路（４１）から排気口（１６）を通って室外へ排出される。
【０１５０】
加湿運転の第２動作について、図１３，図１４を参照しながら説明する。この第２動作では、第１動作時とは逆に、第２吸着素子（８２）についての吸着動作と、第１吸着素子（８１）についての再生動作とが行われる。つまり、この第２動作では、第１吸着素子（８１）で空気が加湿され、第２吸着素子（８２）の吸着剤が水蒸気を吸着する。
【０１５１】
図１３に示すように、右側仕切板（２０）では、第２右上開口（２５）と右中央開口（２７）とが連通状態となり、残りの開口（２３，２４，２６）が遮断状態となっている。この状態では、第２右上開口（２５）によって第２上部流路（５５）と右上部流路（６５）とが連通され、右中央開口（２７）によって右下部流路（６６）と中央流路（５７）における再生熱交換器（１０２）の上流側とが連通される。
【０１５２】
左側仕切板（３０）では、第１左上開口（３３）と第２左下開口（３６）とが連通状態となり、残りの開口（３４，３５，３７）が遮断状態となっている。この状態では、第１左上開口（３３）によって第１上部流路（５３）と左上部流路（６７）とが連通され、第２左下開口（３６）によって左下部流路（６８）と第２下部流路（５６）とが連通される。
【０１５３】
第２シャッタ（６２）は閉鎖状態となり、第１シャッタ（６１）は開口状態となっている。この状態では、中央流路（５７）における再生熱交換器（１０２）の下流側と第１下部流路（５４）とが、第１シャッタ（６１）を介して連通される。
【０１５４】
顕熱交換器（１１０）で冷却された第１空気は、吸込側左下流路（４８）から左下部流路（６８）へ流入し、その後に第２左下開口（３６）を通って第２下部流路（５６）へ流入する。一方、第２空気は、吸込側右下流路（４６）から右下部流路（６６）へ流入し、その後に右中央開口（２７）を通って中央流路（５７）における再生熱交換器（１０２）の上流側へ流入する（図１５を参照）。
【０１５５】
図１４（ｂ）にも示すように、第２下部流路（５６）の第１空気は、第２吸着素子（８２）の調湿側通路（８５）へ流入する。この調湿側通路（８５）を流れる間に、第１空気に含まれる水蒸気が吸着剤に吸着される。第２吸着素子（８２）で水分を奪われた第１空気は、第２上部流路（５５）へ流入する。
【０１５６】
一方、第２空気は、中央流路（５７）へ流入して再生熱交換器（１０２）を通過する。その際、再生熱交換器（１０２）では、第２空気が冷媒との熱交換によって加熱される。その後、第２空気は、中央流路（５７）から第１下部流路（５４）へ流入する。再生熱交換器（１０２）で加熱された第２空気は、第１吸着素子（８１）の調湿側通路（８５）へ導入される。この調湿側通路（８５）では、第２空気によって吸着剤が加熱され、吸着剤から水蒸気が脱離する。つまり、第１吸着素子（８１）の再生が行われる。そして、吸着剤から脱離した水蒸気が第２空気に付与され、第２空気が加湿される。第１吸着素子（８１）で加湿された第２空気は、その後に第１上部流路（５３）へ流入する。
【０１５７】
図１３に示すように、第１上部流路（５３）へ流入した第２空気は、第１左上開口（３３）を通って左上部流路（６７）へ流入し、その後に給気側流路（４２）へ流入する。この第２空気は、給気側流路（４２）から給気口（１４）を通って室内へ供給される。一方、第２上部流路（５５）へ流入した第１空気は、第２右上開口（２５）を通って右上部流路（６５）へ流入し、その後に排気側流路（４１）へ流入する。この第１空気は、排気側流路（４１）から排気口（１６）を通って室外へ排出される。
【０１５８】
【発明の実施の形態３】
本発明の実施形態３に係る調湿装置は、冷媒回路と２つの吸着素子（８１，８２）とを備え、いわゆるバッチ式の動作を行うように構成されている。また、本実施形態の調湿装置には、顕熱交換器（１１０）が設けられている。これらの点は、上記実施形態１と同様である。ただし、上記実施形態１では、再生熱交換器（１０２）へ送られる前の第２空気が顕熱交換器（１１０）で第１空気と熱交換するのに対し、本実施形態では、吸着素子（８１，８２）を通過後の第２空気が顕熱交換器（１１０）で第１空気と熱交換する。
【０１５９】
ここでは、本実施形態に係る調湿装置の構成について、図１６を参照しながら説明する。尚、本実施形態３の説明において、「上」　「下」　「左」　「右」　「前」　「後」　「手前」　「奥」　は、特にことわらない限り、図１６におけるものを意味している。
【０１６０】
図１６に示すように、上記調湿装置は、やや扁平な直方体状のケーシング（２１０）を備えている。このケーシング（２１０）には、２つの吸着素子（８１，８２）と、冷媒回路とが収納されている。各吸着素子（８１，８２）は、上記実施形態１のものと同様に構成され、調湿側通路（８５）及び冷却側通路（８６）を備えている（図６参照）。冷媒回路には、再生熱交換器（１０２）と蒸発用熱交換器（１０５）とが設けられている。この冷媒回路では、冷媒が循環して冷凍サイクルが行われる。その際、再生熱交換器（１０２）が凝縮器となり、蒸発用熱交換器（１０５）が蒸発器となる。
【０１６１】
図１６に示すように、上記ケーシング（２１０）において、最も手前側には室外側パネル（２１１）が設けられ、最も奥側には室内側パネル（２１２）が設けられている。室外側パネル（２１１）には、その左端寄りに室外側吸込口（２１３）が形成され、その右端寄りに室外側吹出口（２１６）が形成されている。一方、室内側パネル（２１２）には、その左端寄りに室内側吹出口（２１４）が形成され、その右端寄りに室内側吸込口（２１５）が形成されている。
【０１６２】
ケーシング（２１０）の内部には、手前側から奥側へ向かって順に、第１仕切板（２２０）と、第２仕切板（２３０）とが設けられている。ケーシング（２１０）の内部空間は、これら第１，第２仕切板（２２０，２３０）によって、前後に仕切られている。
【０１６３】
室外側パネル（２１１）と第１仕切板（２２０）の間の空間には、その左右幅方向の中央部に顕熱交換器（１１０）が設置されている。この顕熱交換器（１１０）は、上記実施形態１のものと同様に構成された直交流形の熱交換器であって、第１の通路と第２の通路とを複数ずつ備えている。
【０１６４】
室外側パネル（２１１）と第１仕切板（２２０）の間において、顕熱交換器（１１０）の右側の空間は吹出側チャンバ（２７２）を構成し、顕熱交換器（１１０）の左側の空間は吸込側チャンバ（２７１）を構成している。吹出側チャンバ（２７２）は、室外側吹出口（２１６）によって室外空間と連通されている。また、吹出側チャンバ（２７２）には、排気ファン（９６）が設置されている。一方、吸込側チャンバ（２７１）は、室外側吸込口（２１３）によって室外空間と連通されている。
【０１６５】
第１仕切板（２２０）には、第１右側開口（２２１）、第１左側開口（２２２）、第１右上開口（２２３）、第１右下開口（２２４）、第１左上開口（２２５）、及び第１左下開口（２２６）が形成されている。これらの開口（２２１，２２２，…）は、それぞれが開閉シャッタを備えて開閉自在に構成されている。
【０１６６】
第１右側開口（２２１）及び第１左側開口（２２２）は、縦長の長方形状の開口である。第１右側開口（２２１）は、第１仕切板（２２０）の右端近傍に設けられている。第１左側開口（２２２）は、第１仕切板（２２０）の左端近傍に設けられている。第１右上開口（２２３）、第１右下開口（２２４）、第１左上開口（２２５）、及び第１左下開口（２２６）は、横長の長方形状の開口である。第１右上開口（２２３）は、第１仕切板（２２０）の上部における第１右側開口（２２１）の左隣に設けられている。第１右下開口（２２４）は、第１仕切板（２２０）の下部における第１右側開口（２２１）の左隣に設けられている。第１左上開口（２２５）は、第１仕切板（２２０）の上部における第１左側開口（２２２）の右隣に設けられている。第１左下開口（２２６）は、第１仕切板（２２０）の下部における第１左側開口（２２２）の右隣に設けられている。
【０１６７】
第１仕切板（２２０）と第２仕切板（２３０）の間には、２つの吸着素子（８１，８２）が設置されている。これら吸着素子（８１，８２）は、所定の間隔をおいて左右に並んだ状態に配置されている。具体的には、右寄りに第１吸着素子（８１）が設けられ、左寄りに第２吸着素子（８２）が設けられている。
【０１６８】
第１，第２吸着素子（８１，８２）は、それぞれにおける平板部材（８３）及び波板部材（８４）の積層方向がケーシング（２１０）の長手方向（図１６における手前から奥へ向かう方向）と一致する姿勢で設置されている。ケーシング（２１０）内に設置された状態の各吸着素子（８１，８２）では、その左右の側面に冷却側通路（８６）が開口し、その上下の側面に調湿側通路（８５）が開口している。
【０１６９】
第１仕切板（２２０）と第２仕切板（２３０）の間の空間は、右側流路（２５１）、左側流路（２５２）、右上流路（２５３）、右下流路（２５４）、左上流路（２５５）、左下流路（２５６）、及び中央流路（２５７）に区画されている。
【０１７０】
右側流路（２５１）は、第１吸着素子（８１）の右側に形成され、第１吸着素子（８１）の冷却側通路（８６）に連通している。左側流路（２５２）は、第２吸着素子（８２）の左側に形成され、第２吸着素子（８２）の冷却側通路（８６）に連通している。
【０１７１】
右上流路（２５３）は、第１吸着素子（８１）の上側に形成され、第１吸着素子（８１）の調湿側通路（８５）に連通している。右下流路（２５４）は、第１吸着素子（８１）の下側に形成され、第１吸着素子（８１）の調湿側通路（８５）に連通している。左上流路（２５５）は、第２吸着素子（８２）の上側に形成され、第２吸着素子（８２）の調湿側通路（８５）に連通している。左下流路（２５６）は、第２吸着素子（８２）の下側に形成され、第２吸着素子（８２）の調湿側通路（８５）に連通している。
【０１７２】
中央流路（２５７）は、第１吸着素子（８１）と第２吸着素子（８２）の間に形成され、両吸着素子（８１，８２）の冷却側通路（８６）に連通している。この中央流路（２５７）は、図１６に現れる流路断面の形状が四角形状となっている。
【０１７３】
中央流路（５７）は、第１吸着素子（８１）と第２吸着素子（８２）の間に形成され、両吸着素子（８１，８２）の冷却側通路（８６）に連通している。この中央流路（５７）には、再生熱交換器（１０２）が設置されている。再生熱交換器（１０２）は、ほぼ水平に寝かせられた姿勢で、この中央流路（２５７）を上下に仕切るように配置されている。更に、再生熱交換器（１０２）は、その上面が第１及び第２吸着素子（８１，８２）の下面よりも僅かに下となるように配置されている。
【０１７４】
再生熱交換器（１０２）は、中央流路（５７）を流れる空気を冷媒回路の冷媒と熱交換させる。そして、再生熱交換器（１０２）は、凝縮器として機能し、空気を加熱するための加熱器を構成している。
【０１７５】
左右に並べられた第１吸着素子（８１）と第２吸着素子（８２）の間には、右側シャッタ（２６１）と左側シャッタ（２６２）とが設けられている。これらのシャッタ（２６１，２６２）は、それぞれが開閉自在に構成されている。
【０１７６】
右側シャッタ（２６１）は、再生熱交換器（１０２）の右側で且つ第１吸着素子（８１）の下側に設置され、中央流路（２５７）における再生熱交換器（１０２）の下側部分と右下流路（２５４）との間を仕切っている。左側シャッタ（２６２）は、再生熱交換器（１０２）の左側で且つ第２吸着素子（８２）の下側に設置され、中央流路（２５７）における再生熱交換器（１０２）の下側部分と左下流路（２５６）との間を仕切っている。
【０１７７】
室外側パネル（２１１）と第１仕切板（２２０）の間の空間と、第１仕切板（２２０）と第２仕切板（２３０）の間の流路（２５１，２５２，…）とは、第１仕切板（２２０）の開口（２２１，２２２，…）に設けられた開閉シャッタによって、連通状態と遮断状態に切り換えられる。
【０１７８】
具体的に、室外側パネル（２１１）と第１仕切板（２２０）の間の空間のうち、顕熱交換器（１１０）の一方の通路の下流側は、第１右側開口（２２１）を介して右側流路（２５１）と、第１左側開口（２２２）を介して左側流路（２５２）と、第１右下開口（２２４）を介して右下流路（２５４）と、第１左下開口（２２６）を介して左下流路（２５６）とそれぞれ連通可能となっている。また、顕熱交換器（１１０）の他方の通路の上流側は、第１右上開口（２２３）を介して右上流路（２５３）と、第１左上開口（２２５）を介して左上流路（２５５）とそれぞれ連通可能となっている。
【０１７９】
第２仕切板（２３０）には、第２右側開口（２３１）、第２左側開口（２３２）、第２右上開口（２３３）、第２右下開口（２３４）、第２左上開口（２３５）、及び第２左下開口（２３６）が形成されている。これらの開口（２３１，２３２，…）は、それぞれが開閉シャッタを備えて開閉自在に構成されている。
【０１８０】
第２右側開口（２３１）及び第２左側開口（２３２）は、縦長の長方形状の開口である。第２右側開口（２３１）は、第２仕切板（２３０）の右端近傍に設けられている。第２左側開口（２３２）は、第２仕切板（２３０）の左端近傍に設けられている。第２右上開口（２３３）、第２右下開口（２３４）、第２左上開口（２３５）、及び第２左下開口（２３６）は、横長の長方形状の開口である。第２右上開口（２３３）は、第２仕切板（２３０）の上部における第２右側開口（２３１）の左隣に設けられている。第２右下開口（２３４）は、第２仕切板（２３０）の下部における第２右側開口（２３１）の左隣に設けられている。第２左上開口（２３５）は、第２仕切板（２３０）の上部における第２左側開口（２３２）の右隣に設けられている。第２左下開口（２３６）は、第２仕切板（２３０）の下部における第２左側開口（２３２）の右隣に設けられている。
【０１８１】
室内側パネル（２１２）と第２仕切板（２３０）の間の空間は、上側の室内側上部流路（２４６）と下側の室内側下部流路（２４７）とに区画されている。室内側上部流路（２４６）は、室内側吹出口（２１４）によって室内空間と連通されている。室内側下部流路（２４７）は、室内側吸込口（２１５）によって室内空間と連通されている。
【０１８２】
室内側パネル（２１２）と第２仕切板（２３０）の間の空間には、その左端寄りに給気ファン（９５）が設置されている。また、室内側上部流路（２４６）には、蒸発用熱交換器（１０５）が設置されている。蒸発用熱交換器（１０５）は、給気ファン（９５）へ向けて室内側上部流路（２４６）を流れる空気と冷媒回路（１００）の冷媒とを熱交換させる。
【０１８３】
第１仕切板（２２０）と第２仕切板（２３０）の間の流路と、第２仕切板（２３０）と室外側パネル（２１１）の間の流路とは、第２仕切板（２３０）の開口（２３１，２３２，…）に設けられた開閉シャッタによって、連通状態と遮断状態に切り換えられる。
【０１８４】
具体的に、第２右側開口（２３１）を開口状態とすると、右側流路（２５１）と室内側下部流路（２４７）が連通する。第２左側開口（２３２）を開口状態とすると、左側流路（２５２）と室内側下部流路（２４７）が連通する。第２右上開口（２３３）を開口状態とすると、右上流路（２５３）と室内側上部流路（２４６）が連通する。第２右下開口（２３４）を開口状態とすると、右下流路（２５４）と室内側下部流路（２４７）が連通する。第２左上開口（２３５）を開口状態とすると、左上流路（２５５）と室内側上部流路（２４６）が連通する。第２左下開口（２３６）を開口状態とすると、左下流路（２５６）と室内側下部流路（２４７）が連通する。
【０１８５】
−運転動作−
上記調湿装置の運転動作について説明する。この調湿装置は、第１動作と第２動作とを交互に繰り返すことによって除湿運転を行う。
【０１８６】
図１６，図１７に示すように、除湿運転時において、給気ファン（９５）を駆動すると、室外空気（ＯＡ）が室外側吸込口（２１３）を通じてケーシング（２１０）内に取り込まれる。この室外空気は、第１空気として吸込側チャンバ（２７１）へ流入し、続いて顕熱交換器（１１０）の一方の流路へ導入される。この第１空気は、顕熱交換器（１１０）の他方の流路へ導入された第２空気と熱交換して冷却される。一方、排気ファン（９６）を駆動すると、室内空気（ＲＡ）が室内側吸込口（２１５）を通じてケーシング（２１０）内に取り込まれる。この室内空気は、第２空気として室内側下部流路（２４７）へ流入する。また、除湿運転時において、冷媒回路では、冷媒を循環させて冷凍サイクルが行われる。
【０１８７】
除湿運転の第１動作について、図１６を参照しながら説明する。この第１動作では、第１吸着素子（８１）についての吸着動作と、第２吸着素子（８２）についての再生動作とが行われる。つまり、第１動作では、第１吸着素子（８１）で空気が減湿されると同時に、第２吸着素子（８２）の吸着剤が再生される。
【０１８８】
第１仕切板（２２０）では、第１右下開口（２２４）と第１左上開口（２２５）とが連通状態となり、残りの開口（２２１，２２２，２２３，２２６）が遮断状態となっている。第２仕切板（２３０）では、第２右側開口（２３１）と第２右上開口（２３３）とが連通状態となり、残りの開口（２３２，２３４，２３５，２３６）が遮断状態となっている。また、右側シャッタ（２６１）は閉鎖状態となり、左側シャッタ（２６２）は開口状態となっている。
【０１８９】
顕熱交換器（１１０）で冷却された第１空気は、第１右下開口（２２４）を通って右下流路（２５４）へ流入する。右下流路（２５４）の第１空気は、第１吸着素子（８１）の調湿側通路（８５）へ流入する。この調湿側通路（８５）を流れる間に、第１空気に含まれる水蒸気が吸着剤に吸着される。第１吸着素子（８１）で減湿された第１空気は、右上流路（２５３）へ流入する。
【０１９０】
右上流路（２５３）へ流入した減湿後の第１空気は、第２右上開口（２３３）を通って室内側上部流路（２４６）へ送り込まれる。この第１空気は、室内側上部流路（２４６）を流れる間に蒸発用熱交換器（１０５）を通過し、冷媒との熱交換によって冷却される。その後、減湿されて冷却された第１空気は、室内側吹出口（２１４）を通って室内へ供給される。
【０１９１】
一方、ケーシング（２１０）に取り込まれた第２空気は、室内側下部流路（２４７）から第２右側開口（２３１）を通って右側流路（２５１）へ流入する。その後、第２空気は、第１吸着素子（８１）の冷却側通路（８６）へ流入する。この冷却側通路（８６）を流れる間に、第２空気は、調湿側通路（８５）で水蒸気が吸着剤に吸着される際に生じた吸着熱を吸熱する。つまり、第２空気は、冷却用流体として冷却側通路（８６）を流れる。吸着熱を奪った第２空気は、中央流路（２５７）へ流入して再生熱交換器（１０２）を通過する。その際、再生熱交換器（１０２）では、第２空気が冷媒との熱交換によって加熱される。その後、第２空気は、中央流路（２５７）から左下流路（２５６）へ流入する。
【０１９２】
第１吸着素子（８１）及び再生熱交換器（１０２）で加熱された第２空気は、第２吸着素子（８２）の調湿側通路（８５）へ導入される。この調湿側通路（８５）では、第２空気によって吸着剤が加熱され、吸着剤から水蒸気が脱離する。つまり、第２吸着素子（８２）の再生が行われる。吸着剤から脱離した水蒸気は、第２空気と共に左上流路（２５５）へ流入する。その後、第２空気は、第１左上開口（２２５）を通過し、顕熱交換器（１１０）へ導入されて第１空気から吸熱する。そして、顕熱交換器（１１０）から流出した第２空気は、吹出側チャンバ（２７２）から室外側吹出口（２１６）を通って室外へ排出される。
【０１９３】
除湿運転の第２動作について、図１７を参照しながら説明する。この第２動作では、第１動作時とは逆に、第２吸着素子（８２）についての吸着動作と、第１吸着素子（８１）についての再生動作とが行われる。つまり、第２動作では、第２吸着素子（８２）で空気が減湿されると同時に、第１吸着素子（８１）の吸着剤が再生される。
【０１９４】
第１仕切板（２２０）では、第１右上開口（２２３）と第１左下開口（２２６）とが連通状態となり、残りの開口（２２１，２２２，２２４，２２５）が遮断状態となっている。第２仕切板（２３０）では、第２左側開口（２３２）と第２左上開口（２３５）とが連通状態となり、残りの開口（２３１，２３３，２３４，２３６）が遮断状態となっている。また、左側シャッタ（２６２）は閉鎖状態となり、右側シャッタ（２６１）は開口状態となっている。
【０１９５】
顕熱交換器（１１０）で冷却された第１空気は、室外側下部流路（２４２）から第１左下開口（２２６）を通って左下流路（２５６）へ流入する。左下流路（２５６）の第１空気は、第２吸着素子（８２）の調湿側通路（８５）へ流入する。この調湿側通路（８５）を流れる間に、第１空気に含まれる水蒸気が吸着剤に吸着される。第２吸着素子（８２）で減湿された第１空気は、左上流路（２５５）へ流入する。
【０１９６】
左上流路（２５５）へ流入した減湿後の第１空気は、第２左上開口（２３５）を通って室内側上部流路（２４６）へ送り込まれる。この第１空気は、室内側上部流路（２４６）を流れる間に蒸発用熱交換器（１０５）を通過し、冷媒との熱交換によって冷却される。その後、減湿されて冷却された第１空気は、室内側吹出口（２１４）を通って室内へ供給される。
【０１９７】
一方、ケーシング（２１０）に取り込まれた第２空気は、室内側下部流路（２４７）から第２左側開口（２３２）を通って左側流路（２５２）へ流入する。その後、第２空気は、第２吸着素子（８２）の冷却側通路（８６）へ流入する。この冷却側通路（８６）を流れる間に、第２空気は、調湿側通路（８５）で水蒸気が吸着剤に吸着される際に生じた吸着熱を吸熱する。つまり、第２空気は、冷却用流体として冷却側通路（８６）を流れる。吸着熱を奪った第２空気は、中央流路（２５７）へ流入して再生熱交換器（１０２）を通過する。その際、再生熱交換器（１０２）では、第２空気が冷媒との熱交換によって加熱される。その後、第２空気は、中央流路（２５７）から右下流路（２５４）へ流入する。
【０１９８】
第２吸着素子（８２）及び再生熱交換器（１０２）で加熱された第２空気は、第１吸着素子（８１）の調湿側通路（８５）へ導入される。この調湿側通路（８５）では、第２空気によって吸着剤が加熱され、吸着剤から水蒸気が脱離する。つまり、第１吸着素子（８１）の再生が行われる。吸着剤から脱離した水蒸気は、第２空気と共に右上流路（２５３）へ流入する。その後、第２空気は、第１右上開口（２２３）を通過し、顕熱交換器（１１０）へ導入されて第１空気から吸熱する。そして、顕熱交換器（１１０）から流出した第２空気は、吹出側チャンバ（２７２）から室外側吹出口（２１６）を通って室外へ排出される。
【０１９９】
このように、本実施形態の調湿装置では、吸着素子（８１，８２）の調湿側通路（８５）を通過した後の第２空気と顕熱交換器（１１０）で熱交換させることにより、吸着素子（８１，８２）の調湿側通路（８５）へ流入する前の第１空気を冷却している。このようにして第１空気を冷却することは、外気温が非常に高い（例えば３８℃程度）である場合に特に有効である。つまり、この場合には第１空気の温度が非常に高く、吸着素子（８１，８２）の再生に利用された後の第２空気によっても第１空気を充分に冷却することができる。また、第２空気として取り込んだ室内空気をそのまま吸着素子（８１，８２）の冷却側通路（８６）へ送り込むことができ、吸着剤に吸着される水蒸気の量を充分に確保できる。
【０２００】
【発明の実施の形態４】
本発明の実施形態４は、上記実施形態３の調湿装置において、顕熱交換器（１１０）と蒸発用熱交換器（１０５）の配置を変更したものである。ここでは、本実施形態に係る調湿装置の構成のうち上記実施形態３と異なる部分について、図１８を参照しながら説明する。尚、本実施形態４の説明において、「上」　「下」　「左」　「右」　「前」　「後」　「手前」　「奥」　は、特にことわらない限り、図１８におけるものを意味している。
【０２０１】
本実施形態の調湿装置において、室外側パネル（２１１）と第１仕切板（２２０）の間の空間は、上側の室外側上部流路（２４１）と下側の室外側下部流路（２４２）とに区画されている。室外側上部流路（２４１）は、室外側吹出口（２１６）によって室外空間と連通されている。室外側下部流路（２４２）は、室外側吸込口（２１３）によって室外空間と連通されている。
【０２０２】
室外側パネル（２１１）と第１仕切板（２２０）の間の空間には、その右端寄りに排気ファン（９６）が設置されている。また、室外側上部流路（２４１）には、蒸発用熱交換器（１０５）が設置されている。この第２熱交換器（１０４）は、排気ファン（９６）へ向けて室外側上部流路（２４１）を流れる空気と冷媒回路（１００）の冷媒とを熱交換させる。
【０２０３】
室外側パネル（２１１）と第１仕切板（２２０）の間の流路（２４１，２４２）と、第１仕切板（２２０）と第２仕切板（２３０）の間の流路（２５１，２５２，…）とは、第１仕切板（２２０）の開口（２２１，２２２，…）に設けられた開閉シャッタによって、連通状態と遮断状態に切り換えられる。
【０２０４】
具体的に、第１右側開口（２２１）を開口状態とすると、右側流路（２５１）と室外側下部流路（２４２）が連通する。第１左側開口（２２２）を開口状態とすると、左側流路（２５２）と室外側下部流路（２４２）が連通する。第１右上開口（２２３）を開口状態とすると、右上流路（２５３）と室外側上部流路（２４１）が連通する。第１右下開口（２２４）を開口状態とすると、右下流路（２５４）と室外側下部流路（２４２）が連通する。第１左上開口（２２５）を開口状態とすると、左上流路（２５５）と室外側上部流路（２４１）が連通する。第１左下開口（２２６）を開口状態とすると、左下流路（２５６）と室外側下部流路（２４２）が連通する。
【０２０５】
室内側パネル（２１２）には、その右端寄りに室内側吹出口（２１４）が形成され、その左端寄りに室内側吸込口（２１５）が形成されている。また、室内側パネル（２１２）と第２仕切板（２３０）の間の空間には、その左右幅方向の中央部に顕熱交換器（１１０）が設置されている。顕熱交換器（１１０）の構成は、上記実施形態３と同様である。
【０２０６】
室内側パネル（２１２）と第２仕切板（２３０）の間において、顕熱交換器（１１０）の左側の空間は吸込側チャンバ（２７３）を構成し、顕熱交換器（１１０）の右側の空間は吹出側チャンバ（２７４）を構成している。吹出側チャンバ（２７４）は、室内側吹出口（２１４）によって室内空間と連通されている。また、吹出側チャンバ（２７４）には、給気ファン（９５）が設置されている。一方、吸込側チャンバ（２７３）は、室内側吸込口（２１５）によって室内空間と連通されている。
【０２０７】
室内側パネル（２１２）と第２仕切板（２３０）の間の空間と、第１仕切板（２２０）と第２仕切板（２３０）の間の流路（２５１，２５２，…）とは、第２仕切板（２３０）の開口（２３１，２３２，…）に設けられた開閉シャッタによって、連通状態と遮断状態に切り換えられる。
【０２０８】
具体的に、室内側パネル（２１２）と第２仕切板（２３０）の間の空間のうち、顕熱交換器（１１０）の一方の通路の下流側は、第２右側開口（２３１）を介して右側流路（２５１）と、第２左側開口（２３２）を介して左側流路（２５２）と、第２右下開口（２３４）を介して右下流路（２５４）と、第２左下開口（２３６）を介して左下流路（２５６）とそれぞれ連通可能となっている。また、顕熱交換器（１１０）の他方の通路の上流側は、第２右上開口（２３３）を介して右上流路（２５３）と、第２左上開口（２３５）を介して左上流路（２５５）とそれぞれ連通可能となっている。
【０２０９】
−運転動作−
上記調湿装置の運転動作について説明する。この調湿装置は、第１動作と第２動作とを交互に繰り返すことによって加湿運転を行う。
【０２１０】
図１８，図１９に示すように、加湿運転時において、給気ファン（９５）を駆動すると、室外空気（ＯＡ）が室外側吸込口（２１３）を通じてケーシング（２１０）内に取り込まれる。この室外空気は、第２空気として室外側下部流路（２４２）へ流入する。一方、排気ファン（９６）を駆動すると、室内空気（ＲＡ）が室内側吸込口（２１５）を通じてケーシング（２１０）内に取り込まれる。この室内空気は、第１空気として吸込側チャンバ（２７３）へ流入し、続いて顕熱交換器（１１０）の一方の流路へ導入される。この第１空気は、顕熱交換器（１１０）の他方の流路へ導入された第２空気と熱交換して冷却される。また、加湿運転時において、冷媒回路では、冷媒を循環させて冷凍サイクルが行われる。
【０２１１】
加湿運転の第１動作について、図１８を参照しながら説明する。この第１動作では、第１吸着素子（８１）についての吸着動作と、第２吸着素子（８２）についての再生動作とが行われる。つまり、第１動作では、第２吸着素子（８２）で空気が加湿され、第１吸着素子（８１）の吸着剤が水蒸気を吸着する。
【０２１２】
第１仕切板（２２０）では、第１右側開口（２２１）と第１右上開口（２２３）とが連通状態となり、残りの開口（２２２，２２４，２２５，２２６）が遮断状態となっている。第２仕切板（２３０）では、第２右下開口（２３４）と第２左上開口（２３５）とが連通状態となり、残りの開口（２３１，２３２，２３３，２３６）が遮断状態となっている。また、右側シャッタ（２６１）は閉鎖状態となり、左側シャッタ（２６２）は開口状態となっている。
【０２１３】
顕熱交換器（１１０）で冷却された第１空気は、第２右下開口（２３４）を通って右下流路（２５４）へ流入する。右下流路（２５４）の第１空気は、第１吸着素子（８１）の調湿側通路（８５）へ流入する。この調湿側通路（８５）を流れる間に、第１空気に含まれる水蒸気が吸着剤に吸着される。第１吸着素子（８１）で水分を奪われた第１空気は、右上流路（２５３）へ流入する。
【０２１４】
右上流路（２５３）へ流入した第１空気は、第１右上開口（２２３）を通って室外側上部流路（２４１）へ送り込まれる。この第１空気は、室外側上部流路（２４１）を流れる間に蒸発用熱交換器（１０５）を通過し、冷媒との熱交換によって冷却される。その後、水分と熱を奪われた第１空気は、室外側吹出口（２１６）を通って室外へ排出される。
【０２１５】
一方、ケーシング（２１０）に取り込まれた第２空気は、室外側下部流路（２４２）から第１右側開口（２２１）を通って右側流路（２５１）へ流入する。その後、第２空気は、第１吸着素子（８１）の冷却側通路（８６）へ流入する。この冷却側通路（８６）を流れる間に、第２空気は、調湿側通路（８５）で水蒸気が吸着剤に吸着される際に生じた吸着熱を吸熱する。つまり、第２空気は、冷却用流体として冷却側通路（８６）を流れる。吸着熱を奪った第２空気は、中央流路（２５７）へ流入して再生熱交換器（１０２）を通過する。その際、再生熱交換器（１０２）では、第２空気が冷媒との熱交換によって加熱される。その後、第２空気は、中央流路（２５７）から左下流路（２５６）へ流入する。
【０２１６】
第１吸着素子（８１）及び再生熱交換器（１０２）で加熱された第２空気は、第２吸着素子（８２）の調湿側通路（８５）へ導入される。この調湿側通路（８５）では、第２空気によって吸着剤が加熱され、吸着剤から水蒸気が脱離する。つまり、第２吸着素子（８２）の再生が行われる。そして、吸着剤から脱離した水蒸気が第２空気に付与され、第２空気が加湿される。第２吸着素子（８２）で加湿された第２空気は、その後に左上流路（２５５）へ流入する。左上流路（２５５）の第２空気は、第２左上開口（２３５）を通過し、顕熱交換器（１１０）へ導入されて第１空気から吸熱する。顕熱交換器（１１０）から流出した第２空気は、吹出側チャンバ（２７４）から室内側吹出口（２１４）を通って室内へ供給される。
【０２１７】
加湿運転の第２動作について、図１９を参照しながら説明する。この第２動作では、第１動作時とは逆に、第２吸着素子（８２）についての吸着動作と、第１吸着素子（８１）についての再生動作とが行われる。つまり、この第２動作では、第１吸着素子（８１）で空気が加湿され、第２吸着素子（８２）の吸着剤が水蒸気を吸着する。
【０２１８】
第１仕切板（２２０）では、第１左側開口（２２２）と第１左上開口（２２５）とが連通状態となり、残りの開口（２２１，２２３，２２４，２２６）が遮断状態となっている。第２仕切板（２３０）では、第２右上開口（２３３）と第２左下開口（２３６）とが連通状態となり、残りの開口（２３１，２３２，２３４，２３５）が遮断状態となっている。また、左側シャッタ（２６２）は閉鎖状態となり、右側シャッタ（２６１）は開口状態となっている。
【０２１９】
顕熱交換器（１１０）で冷却された第１空気は、第２左下開口（２３６）を通って左下流路（２５６）へ流入する。左下流路（２５６）の第１空気は、第２吸着素子（８２）の調湿側通路（８５）へ流入する。この調湿側通路（８５）を流れる間に、第１空気に含まれる水蒸気が吸着剤に吸着される。第２吸着素子（８２）で水分を奪われた第１空気は、左上流路（２５５）へ流入する。
【０２２０】
左上流路（２５５）へ流入した第１空気は、第１左上開口（２２５）を通って室外側上部流路（２４１）へ送り込まれる。この第１空気は、室外側上部流路（２４１）を流れる間に蒸発用熱交換器（１０５）を通過し、冷媒との熱交換によって冷却される。その後、水分と熱を奪われた第１空気は、室外側吹出口（２１６）を通って室外へ排出される。
【０２２１】
一方、ケーシング（２１０）に取り込まれた第２空気は、室外側下部流路（２４２）から第１左側開口（２２２）を通って左側流路（２５２）へ流入する。その後、第２空気は、第２吸着素子（８２）の冷却側通路（８６）へ流入する。この冷却側通路（８６）を流れる間に、第２空気は、調湿側通路（８５）で水蒸気が吸着剤に吸着される際に生じた吸着熱を吸熱する。つまり、第２空気は、冷却用流体として冷却側通路（８６）を流れる。吸着熱を奪った第２空気は、中央流路（２５７）へ流入して再生熱交換器（１０２）を通過する。その際、再生熱交換器（１０２）では、第２空気が冷媒との熱交換によって加熱される。その後、第２空気は、中央流路（２５７）から右下流路（２５４）へ流入する。
【０２２２】
第２吸着素子（８２）及び再生熱交換器（１０２）で加熱された第２空気は、第１吸着素子（８１）の調湿側通路（８５）へ導入される。この調湿側通路（８５）では、第２空気によって吸着剤が加熱され、吸着剤から水蒸気が脱離する。つまり、第１吸着素子（８１）の再生が行われる。そして、吸着剤から脱離した水蒸気が第２空気に付与され、第２空気が加湿される。第１吸着素子（８１）で加湿された第２空気は、その後に右上流路（２５３）へ流入する。右上流路（２５３）の第２空気は、第２右上開口（２３３）を通過し、顕熱交換器（１１０）へ導入されて第１空気から吸熱する。顕熱交換器（１１０）から流出した第２空気は、吹出側チャンバ（２７４）から室内側吹出口（２１４）を通って室内へ供給される。
【０２２３】
【発明のその他の実施の形態】
上記実施形態の調湿装置では、加熱器を再生熱交換器（１０２）で構成し、この再生熱交換器（１０２）で冷媒や温水と熱交換させることによって第２空気を加熱しているが、これに代えて、加熱器を電気ヒータで構成し、この電気ヒータで第２空気を加熱するようにしてもよい。
【０２２４】
また、上記実施形態の調湿装置では、吸着素子（８１，８２）を直方体状に形成しているが、吸着素子（８１，８２）の形状はこれに限定されるものではなく、例えば円板状あるいは円筒状に吸着素子を形成してもよい。この場合、円板状あるいは円筒状に形成された吸着素子を回転させ、その吸着素子の一部分へ第２空気を送り込んで残りの部分へ第１空気を送り込み、一つの吸着素子についての吸着動作と再生動作を同時に並行して行うように調湿装置を構成するのが望ましい。
【０２２５】
また、上記実施形態の調湿装置では、室外空気を取り込んで室内へ供給すると共に室内空気を取り込んで室外へ排出し、調湿と同時に換気をも行う運転が可能となっているが、このような運転に加え、次のような運転を行うようにしてもよい。つまり、除湿時であれば、第１空気として取り込んだ室内空気を吸着素子（８１，８２）で減湿してから室内へ送り返す一方、第２空気として取り込んだ室外空気を吸着素子（８１，８２）の再生に利用してから室外へ排出する運転を行ってもよい。また、加湿時であれば、第２空気として取り込んだ室内空気を吸着素子（８１，８２）で加湿してから室内へ送り返す一方、第１空気として取り込んだ室外空気を吸着素子（８１，８２）で減湿してから室外へ排出する運転を行ってもよい。
【０２２６】
【発明の効果】
本発明に係る調湿装置では、取り込んだ第１空気を冷却用熱交換器（１１０）で冷却し、その後に吸着素子（８１，８２）の調湿側通路（８５）へ導入している。このため、本実施形態によれば、調湿装置が発揮し得る調湿能力を増大させることができる。
【０２２７】
つまり、図７に示すように、除湿運転時には、第１空気を冷却しない場合に比べ、吸着素子（８１，８２）の再生に利用された後における第２空気の絶対湿度を、点Ｈ’の状態から点Ｈの状態へ上昇させることが可能となる。従って、第１空気を冷却しない場合に比べ、吸着素子（８１，８２）で減湿された後における第１空気の絶対湿度を点Ｃ’の状態から点Ｃの状態へ低下させることが可能となり、除湿能力の向上を図ることができる。
【０２２８】
また、図８に示すように、加湿運転時には、第１空気を冷却しない場合に比べ、吸着素子（８１，８２）で減湿された後における第１空気の絶対湿度を点Ｐ’の状態から点Ｐの状態へ低下させることが可能となる。従って、第１空気を冷却しない場合に比べ、吸着素子（８１，８２）で加湿された後における第２空気の相対湿度を、点Ｍ’の状態から点Ｍの状態へ上昇させることが可能となり、加湿能力の向上を図ることができる。
【０２２９】
更に、本発明に係る調湿装置では、冷却用熱交換器（１１０）で第２空気と熱交換させることによって第１空気を冷却している。従って、電力等のエネルギを余分に消費することなく第１空気を冷却することが可能となり、それによって調湿装置の能力向上を図ることができる。
【図面の簡単な説明】
【図１】実施形態１に係る調湿装置の構成および除湿運転時の第１動作における空気の流れを示す概略構成図である。
【図２】実施形態１に係る調湿装置の構成および除湿運転時の第２動作における空気の流れを示す概略構成図である。
【図３】実施形態１に係る調湿装置の構成および加湿運転時の第１動作における空気の流れを示す概略構成図である。
【図４】実施形態１に係る調湿装置の構成および加湿運転時の第２動作における空気の流れを示す概略構成図である。
【図５】実施形態１に係る調湿装置の要部拡大図である。
【図６】実施形態１に係る調湿装置の吸着素子の構成を示す概略斜視図である。
【図７】本発明に係る調湿装置において除湿能力の向上が可能であることを示す空気線図である。
【図８】本発明に係る調湿装置において加湿能力の向上が可能であることを示す空気線図である。
【図９】実施形態１の変形例に係る調湿装置の構成、及び除湿運転時の第１動作における空気の流れを示す概略構成図である。
【図１０】実施形態２に係る調湿装置の構成および除湿運転時の第１動作における空気の流れを示す概略構成図である。
【図１１】実施形態２に係る調湿装置の構成および除湿運転時の第２動作における空気の流れを示す概略構成図である。
【図１２】実施形態２に係る調湿装置の構成および加湿運転時の第１動作における空気の流れを示す概略構成図である。
【図１３】実施形態２に係る調湿装置の構成および加湿運転時の第２動作における空気の流れを示す概略構成図である。
【図１４】実施形態２に係る調湿装置の要部拡大図である。
【図１５】図１４におけるＡ−Ａ断面を示す概略断面図である。
【図１６】実施形態３に係る調湿装置の構成および除湿運転中の第１動作を示す分解斜視図である。
【図１７】実施形態３に係る調湿装置の構成および除湿運転中の第２動作を示す分解斜視図である。
【図１８】実施形態４に係る調湿装置の構成および加湿運転中の第１動作を示す分解斜視図である。
【図１９】実施形態４に係る調湿装置の構成および加湿運転中の第２動作を示す分解斜視図である。
【符号の説明】
（８１）　第１吸着素子
（８２）　第２吸着素子
（８５）　調湿側通路
（８６）　冷却側通路
（１０２）　再生用熱交換器（加熱器）
（１１０）　顕熱交換器（冷却用熱交換器）
【図１】
2004060966.tif 000003
【図２】
2004060966.tif 000004
【図３】
2004060966.tif 000005
【図４】
2004060966.tif 000006
【図５】
2004060966.tif 000007
【図６】
2004060966.tif 000008
【図７】
2004060966.tif 000009
【図８】
2004060966.tif 000010
【図９】
2004060966.tif 000011
【図１０】
2004060966.tif 000012
【図１１】
2004060966.tif 000013
【図１２】
2004060966.tif 000014
【図１３】
2004060966.tif 000015
【図１４】
2004060966.tif 000016
【図１５】
2004060966.tif 000017
【図１６】
2004060966.tif 000018
【図１７】
2004060966.tif 000019
【図１８】
2004060966.tif 000020
【図１９】
2004060966.tif 000021